(57)【要約】  放送番組を録画する放送録画処理を行う放送録画処理部と、前記放送録画処理部により録画された放送番組に関する情報と、当該放送番組に関する視聴者による評価と、を関連付けて表示する録画表示処理を行う録画再生処理部と、を備え、前記録画再生処理部は、放送番組に関する視聴者による評価を表す評価データを外部のサーバから取得し、前記放送録画処理部により録画された放送番組に関する情報と、当該放送番組に関する前記評価データの表す評価と、を関連付けて表示する処理を、前記録画表示処理として行うことを特徴とする番組再生装置。
2014148229.tif 000002
【特許請求の範囲】
【請求項１】
放送番組を録画する放送録画処理を行う放送録画処理部と、
前記放送録画処理部により録画された放送番組に関する情報と、当該放送番組に関する視聴者による評価と、を関連付けて表示する録画表示処理を行う録画再生処理部と、
を備え、
前記録画再生処理部は、放送番組に関する視聴者による評価を表す評価データを外部のサーバから取得し、前記放送録画処理部により録画された放送番組に関する情報と、当該放送番組に関する前記評価データの表す評価と、を関連付けて表示する処理を、前記録画表示処理として行う
ことを特徴とする番組再生装置。
【請求項２】
請求項１に記載の番組再生装置であって、
前記録画再生処理部は、前記録画表示処理において、前記放送録画処理部により録画された複数の放送番組に関する情報を、放送番組ごとに、評価の有無を視認可能な表示態様で一覧表示する処理を行う
ことを特徴とする番組再生装置。
【請求項３】
請求項１又は請求項２に記載の番組再生装置であって、
放送番組を再生する再生処理を行う再生処理部と、
前記再生処理部により再生されている放送番組に関する評価であって、当該番組再生装置のユーザによる評価を入力し、入力した評価を前記サーバへ送信する評価入力処理を行う評価入力処理部と、
を更に備えることを特徴とする番組再生装置。
【発明の詳細な説明】
【関連出願の相互参照】
【０００１】
本国際出願は、２０１３年３月２２日に日本国特許庁に出願された日本国特許出願第２０１３−６０１１４号に基づく優先権を主張するものであり、日本国特許出願第２０１３−６０１１４号の全内容を本国際出願に援用する。
【技術分野】
【０００２】
本発明は、放送番組を再生する番組再生装置に関する。
【背景技術】
【０００３】
複数のチューナを備え、複数の放送番組を同時に録画することが可能な装置が知られている。例えば、複数チャンネルのすべての放送番組を録画する技術が提案されている（特許文献１参照）。
【先行技術文献】
【特許文献】
【０００４】
【特許文献１】特開２０１０−１１９１４０号公報
【発明の概要】
【発明が解決しようとする課題】
【０００５】
録画して保存しておくことが可能な放送番組の数は、今後もますます増加していくことが予想される。
本発明の一側面においては、録画された放送番組の中から視聴すべき放送番組を選択しやすくすることが望ましい。
【課題を解決するための手段】
【０００６】
本発明の一側面の番組再生装置は、放送番組を録画する放送録画処理を行う放送録画処理部と、前記放送録画処理部により録画された放送番組に関する情報と、当該放送番組に関する視聴者による評価と、を関連付けて表示する録画表示処理を行う録画再生処理部と、を備え、前記録画再生処理部は、放送番組に関する視聴者による評価を表す評価データを外部のサーバから取得し、前記放送録画処理部により録画された放送番組に関する情報と、当該放送番組に関する前記評価データの表す評価と、を関連付けて表示する処理を、前記録画表示処理として行う。このような構成によれば、ユーザは、録画された放送番組の中から、視聴すべき放送番組を、他の視聴者による評価に基づいて選択することができる。【０００７】
また、上記構成において、前記録画再生処理部は、前記録画表示処理において、前記放送録画処理部により録画された複数の放送番組に関する情報を、放送番組ごとに、評価の有無を視認可能な表示態様で一覧表示する処理を行ってもよい。このような構成によれば、ユーザは、複数の放送番組のそれぞれについて、視聴者により評価がされているか否かを容易に識別することができる。【０００８】
また、上記構成において、放送番組を再生する再生処理を行う再生処理部と、前記再生処理部により再生されている放送番組に関する評価であって、当該番組再生装置のユーザによる評価を入力し、入力した評価を前記サーバへ送信する評価入力処理を行う評価入力処理部と、を更に備えてもよい。このような構成によれば、ユーザは、他の視聴者による評価を閲覧するだけでなく、自身による評価を他の視聴者に閲覧させることができる。【０００９】
なお、本発明は、前述した番組再生装置の他、当該番組再生装置を構成要素とする通信システム、当該番組再生装置としてコンピュータを機能させるためのプログラム、放送番組表示方法など、種々の形態で実現することができる。
【図面の簡単な説明】
【００１０】
【図１】通信システムの構成を示すブロック図である。
【図２】テレビの構成を示すブロック図である。
【図３】制御ユニットの機能ブロック図である。
【図４】評価内容情報の分類を示す図である。
【図５】リモコンの操作部を示す図である。
【図６】録画番組が番組表形式で一覧表示された状態を示す図である。
【図７】放送番組の再生中における表示画面を示す図である。
【図８】サーバの構成を示すブロック図である。
【図９】携帯装置の構成を示すブロック図である。
【図１０】評価送信処理のフローチャートである。
【図１１】設定処理のフローチャートである。
【図１２】設定メニューが表示された表示画面を示す図である。
【図１３】評価入力処理のフローチャートである。
【図１４】評価管理処理のフローチャートである。
【図１５】録画再生処理のフローチャートである。
【図１６】通常再生処理のフローチャート（１／２）である。
【図１７】通常再生処理のフローチャート（２／２）である。
【図１８】選択対象表示処理のフローチャートである。
【図１９】おすすめ番組選定処理のフローチャートである。
【図２０】ライフログ取得処理のフローチャートである。
【符号の説明】
【００１１】
１…テレビ、２…サーバ、３…リモコン、４…携帯装置、７…放送装置、８…インターネット、１１…放送受信ユニット、１２…リモコン受信ユニット、１３…撮影ユニット、１４…音入力ユニット、１５…近距離通信ユニット、１６…記憶ユニット、１７…遠距離通信ユニット、１８…再生ユニット、１９…制御ユニット、２１…遠距離通信ユニット、２２…記憶ユニット、２３…制御ユニット、３１〜３６…ボタン、３７…キーボード、３８…ユーザボタン、４１…タッチパネルユニット、４２…撮影ユニット、４３…音入力ユニット、４４…近距離通信ユニット、４５…記憶ユニット、４６…制御ユニット、９１…放送再生処理部、９２…放送録画処理部、９３…評価入力処理部、９４…録画再生処理部、９５…選定処理部。
【発明を実施するための形態】
【００１２】
以下、本発明が適用された実施形態について、図面を用いて説明する。
［１．構成］
図１に示す通信システムは、テレビ１と、サーバ２と、を備える。
【００１３】
［１−１．テレビの構成］
テレビ１は、テレビ局の放送装置７により常時放送（送信）されているテレビジョン放送の放送データを受信し、放送データの表す放送番組を再生する機能を有する番組再生装置である。放送データとは、放送番組（具体的には放送番組の映像及び音声）を表すデータであり、換言すれば、放送番組を再生可能なデータである。なお、以下に詳述するように、本実施形態のテレビ１は、放送番組を録画する機能や、インターネット８を介してサーバ２と通信する機能なども備える。
【００１４】
［１−１−１．テレビの基本構成］
図２に示すように、テレビ１は、放送受信ユニット１１と、リモコン受信ユニット１２と、撮影ユニット１３と、音入力ユニット１４と、近距離通信ユニット１５と、記憶ユニット１６と、遠距離通信ユニット１７と、再生ユニット１８と、制御ユニット１９と、を備える。
【００１５】
放送受信ユニット１１は、放送データを受信し、受信した放送データを制御ユニット１９へ出力する。
リモコン受信ユニット１２は、テレビ１用のリモコン３から送信される操作信号を受信し、受信した操作信号を制御ユニット１９へ出力する。
【００１６】
撮影ユニット１３は、テレビ１を視聴しているユーザをカメラで撮影し、撮影画像を表す撮影データを制御ユニット１９へ出力する。カメラは、例えば表示画面の上部に設けられている。
【００１７】
音入力ユニット１４は、テレビ１を視聴しているユーザの音声をマイクロフォンで入力し、入力した音声を表す音声信号を制御ユニット１９へ出力する。
近距離通信ユニット１５は、ユーザの携帯装置４から近距離無線通信で受信したデータを制御ユニット１９へ出力する。なお、近距離無線通信には、例えば、Ｂｌｕｅｔｏｏｔｈ（登録商標）規格に従った近距離無線通信や、Ｗｉ−Ｆｉ（登録商標）規格に従った近距離無線通信などを利用してもよい。
【００１８】
記憶ユニット１６は、制御ユニット１９から入力した放送データ、すなわち放送番組のデータ（映像及び音声を表すデータ）を記憶する。つまり、記憶ユニット１６は、放送番組を録画するための記憶部として機能する。記憶ユニット１６は、複数のチャンネル（例えば６チャンネル）について、一定期間（例えば２週間）全番組を録画することが可能な記憶容量を有する。
【００１９】
遠距離通信ユニット１７は、制御ユニット１９から入力したデータをインターネット８を介してサーバ２へ送信し、インターネット８を介してサーバ２から受信したデータを制御ユニット１９へ出力する。
【００２０】
再生ユニット１８は、制御ユニット１９から放送番組のデータを入力し、入力したデータの表す放送番組を再生する。具体的には、放送番組の映像を表示画面（例えば液晶ディスプレイ）に表示させ、放送番組の音（音声や音楽等）をスピーカから出力させる。また、再生ユニット１８は、制御ユニット１９から入力した放送番組以外の画像データの表す画像（例えば設定メニュー）を表示画面に表示させる。
【００２１】
制御ユニット１９は、回路１９１、プロセッサ１９２、メモリ１９３などを備える。制御ユニット１９は、ハードウェア（回路１９１及びプロセッサ１９２）及びソフトウェア（メモリ１９３に記憶されたプログラム）により、種々の機能を実現する。
【００２２】
［１−１−２．制御ユニットの機能］
制御ユニット１９の有する機能は、図３に示すように、複数の機能的な構成要素（機能ブロック）として表すことができる。具体的には、制御ユニット１９は、機能的な構成要素として、放送再生処理部９１と、放送録画処理部９２と、評価入力処理部９３と、録画再生処理部９４と、選定処理部９５と、を備える。
【００２３】
［１−１−２−１．放送再生処理部］
放送再生処理部９１は、放送番組を再生する再生処理として、放送局から放送されている放送データの表す放送番組を、再生ユニットに再生させる放送再生処理を行う。すなわち、放送再生処理部９１は、放送受信ユニット１１から放送データを入力して再生ユニット１８へ出力することで、放送番組を再生する。具体的には、放送再生処理部９１は、放送受信ユニット１１から入力した放送データから、視聴用に選局されているチャンネルの放送番組を表すデータを抽出し、抽出したデータを再生ユニット１８で再生可能な形式に変換した上で、再生ユニット１８へ出力する。
【００２４】
［１−１−２−２．放送録画処理部］
放送録画処理部９２は、放送番組を録画する放送録画処理として、放送局から放送されている放送データを、録画データとして記憶ユニット１６に記憶させる処理を行う。すなわち、放送録画処理部９２は、放送受信ユニット１１から放送データを入力して記憶ユニット１６へ出力することで、放送番組を録画する。具体的には、放送録画処理部９２は、複数のチャンネル（例えば６チャンネル）について、一定期間（例えば２週間）全番組を録画する機能（全番組録画機能）を実現する。
【００２５】
［１−１−２−３．評価入力処理部］
評価入力処理部９３は、放送再生処理部９１又は録画再生処理部９４により再生されている放送番組に関する評価であってテレビ１のユーザによる評価を入力し、入力した評価を表す評価データをサーバ２へ送信する評価入力処理を行う。すなわち、評価入力処理部９３は、リモコン受信ユニット１２、撮影ユニット１３、音入力ユニット１４及び近距離通信ユニット１５から評価を入力し、生成した評価データを遠距離通信ユニット１７へ出力することで、評価データをサーバ２へ送信させる。
【００２６】
＜評価データ＞
ここで、評価データについて詳しく説明する。
＜１．評価データの表す情報＞
評価入力処理部９３は、評価の内容を表す評価内容情報と、評価対象を特定するための評価対象情報と、評価を行ったユーザに関する評価者情報と、を表す評価データを生成する。
【００２７】
＜１−１．評価内容情報＞
このうち、評価内容情報は、図４に示すように、定形評価及び自由評価に分類される。
＜１−１−１．定形評価＞
定形評価は、評価項目があらかじめ決められている評価であり、本実施形態では、肯定否定評価及び感情評価が含まれる。
【００２８】
＜１−１−１−１．肯定否定評価＞
肯定否定評価とは、評価対象について肯定的であるか否定的であるかを評価するためのものである。したがって、肯定評価には、賛同、共感、良い、好き、欲しい、といったニュアンスが含まれてもよい。例えば、周知のソーシャル・ネットワーキング・サービスであるFacebook（登録商標）の「いいね！」は、ここでいう肯定評価の一例である。一方、否定評価は、肯定評価の逆の評価である。なお、否定評価については定形評価に含めないようにしてもよい。
【００２９】
＜１−１−１−２．感情評価＞
感情評価とは、評価対象についての視聴者の感情を表すためのものである。例えば、笑い、感動、怒り、驚き、といった感情が含まれる。なお、これらの感情は一例であり、例えば他の感情が含まれていてもよい。
【００３０】
＜１−１−２．自由評価＞
自由評価とは、評価対象に対する評価であって、評価項目により制約されることなく自由に行うことのできる評価であり、本実施形態ではコメントである。なお、視聴者の感想やつぶやきなどもここでいうコメントに含まれる。
【００３１】
＜１−２．評価対象情報＞
評価対象情報は、評価が入力された時点で再生されていた放送番組自体を特定するだけではなく、当該放送番組（本編だけでなくＣＭも含む。）において評価が入力された具体的場面（放送番組における１つの時点）を特定する。つまり、ユーザは、放送番組における具体的場面について評価を行うことができる。このため、評価対象情報には、どの放送番組におけるどの時点かを特定するための情報、例えばチャンネルや放送日時（放送日及び放送時刻）の情報が含まれる。ここでいう放送日時は、録画された放送番組の視聴中に入力された評価であっても、あくまでも実際に放送された放送日及び放送時刻を基準に特定される。例えば、３月１日２０時から始まる放送番組を録画し、３月４日１０時から視聴した場合、開始後１０分経過時点で評価内容情報が入力されたとすると、放送日時は３月１日２０時１０分と特定される。
【００３２】
＜１−３．評価者情報＞
評価者情報は、評価を行ったユーザに関する情報として、例えば、ユーザの固有情報（氏名、ユーザ名、顔写真等）や、ユーザのカテゴリ（性別、年齢層、家族における位置づけ等）に関する情報を特定する。
【００３３】
＜２．評価の入力方法＞
次に、評価の入力方法について説明する。評価の入力方法は、ユーザによる自発的な行為に基づく入力方法と、推測に基づく入力方法と、に分類される。
【００３４】
＜２−１．ユーザによる自発的な行為に基づく入力方法＞
ユーザによる自発的な行為に基づく入力方法としては、リモコン３のボタン操作、所定のジェスチャー、キーワードやコメントの発声、携帯装置４の操作などが挙げられる。
【００３５】
＜２−１−１．リモコンのボタン操作＞
すなわち、リモコン３には、図５に示すように、定形評価用のボタン３１〜３６と、自由評価用のキーボード３７と、が設けられている。図５の例では、「いいね！」、「よくないね」、「おもしろい」、「感動」、「怒り」、「驚き」の評価を入力するためのボタン３１〜３６が、定形評価用のボタンとして用意されている。また、リモコン３には、評価を行ったユーザを特定するための複数（この例では「ユーザ１」〜「ユーザ５」の５つ）のユーザボタン３８が設けられている。各ユーザボタン３８には、テレビ１を視聴するユーザ（例えば同じ家族である複数のユーザ）に関する固有情報やカテゴリを登録することが可能である。これらのユーザボタン３８は、直感的に判別できるように、それぞれ色を異ならせてもよい。放送番組の視聴者であるユーザは、リモコン３のボタン操作により評価内容情報及び評価者情報を入力することができる。この場合、例えば、操作が行われた時点を基準として評価対象情報が特定される。
【００３６】
＜２−１−２．ジェスチャー＞
また、本実施形態では、定形評価に対応するジェスチャーがあらかじめ設定されており、ユーザは、ジェスチャーより定形評価を入力することができる。具体的には、撮影ユニット１３による撮影データが制御ユニット１９で解析され、ユーザによるジェスチャーが定形評価を表す評価内容情報の入力として検出される。例えば、ユーザが親指を上に向けるジェスチャーが、肯定評価を表す評価内容情報の入力として検出され、親指を下に向けるジェスチャーが、否定評価を表す評価内容情報の入力として検出される。この場合、例えば、顔認識により評価者情報が特定され、ジェスチャーが行われた時点を基準として評価対象情報が特定される。なお、顔認識による評価者情報の特定は、テレビ１を視聴するユーザに関する情報（固有情報やカテゴリ等）を、ユーザの顔と対応付けてあらかじめテレビ１に登録しておくことで実現される。
【００３７】
＜２−１−３．キーワードの発声＞
また、本実施形態では、定形評価に対応する発声キーワードがあらかじめ設定されており、ユーザは、発声により定形評価を入力することができる。具体的には、音入力ユニット１４により入力された音声が制御ユニット１９で解析され、ユーザにより発声されたキーワードが定形評価を表す評価内容情報の入力として検出される。例えば、「いいね！」、「良い」といったキーワードが、肯定評価を表す評価内容情報の入力として検出される。この場合、例えば、音声認識により評価者情報が特定され、発声された時点を基準として評価対象情報が特定される。なお、音声認識による評価者情報の特定は、テレビ１を視聴するユーザに関する情報（固有情報やカテゴリ等）を、ユーザの音声と対応付けてあらかじめテレビ１に登録しておくことで実現される。
【００３８】
＜２−１−４．コメントの発声＞
また、本実施形態では、特定の条件下での発声は、自由評価（コメント）を表す評価内容情報の入力として検出される。例えば、コメントの入力開始操作（例えば、リモコン３や携帯装置４での特定の操作、特定のジェスチャー、特定のキーワードの発声）を行うと、その後に発声した内容が、自由評価を表す評価内容情報の入力として検出される。この場合、例えば、リモコン３の操作、顔認識、音声認識、操作した携帯装置４などにより評価者情報が特定され、入力開始操作が行われた時点を基準として評価対象情報が特定される。
【００３９】
＜２−１−５．携帯装置の操作＞
また、ユーザは、携帯装置４の操作により、評価内容情報及び評価者情報を入力することができる。具体的には、例えば携帯装置４で動作する評価送信用のアプリケーションにより、リモコン３の操作部（図５参照）と同様の操作部が携帯装置４の表示画面に表示され、タッチパネルによるタッチ操作などにより評価内容情報及び評価者情報の入力が可能となる。この場合、例えば、携帯装置４の識別情報又は操作内容により評価者情報が特定され、操作が行われた時点を基準として評価対象情報が特定される。
【００４０】
＜２−２．推測に基づく入力方法＞
一方、推測に基づく入力方法としては、ユーザの表情に基づく推測や、ユーザの笑い声に基づく推測などが挙げられる。
【００４１】
すなわち、撮影データに基づきユーザの表情を解析し、何らかの感情が検出された場合に、感情評価を表す評価内容情報の入力として検出される。この場合、例えば、顔認識により評価者情報が特定され、感情が検出された時点を基準として評価対象情報が特定される。
【００４２】
また、ユーザによる笑い声が、笑いの感情評価を表す評価内容情報の入力として検出される。この場合、例えば、顔認識により評価者情報が特定され、笑い声が検出された時点を基準として評価対象情報が特定される。
【００４３】
［１−１−２−４．録画再生処理部］
録画再生処理部９４は、放送録画処理部９２により録画された放送番組（録画番組）を選択可能に表示する処理（録画表示処理）と、選択された放送番組を再生する処理と、を録画再生処理（後述する図１５〜図１８の処理）として行う。録画表示処理が行われると、放送番組に関する情報と、放送番組に関する視聴者による評価と、がテレビ１の表示画面において関連付けて表示される。すなわち、録画再生処理部９４は、放送番組に関する視聴者による評価を表す評価データを外部のサーバ２から取得し、放送番組に関する情報と、評価データの表す評価であって放送番組に関する評価と、を関連付けて表示する処理を、録画表示処理として行う。
【００４４】
具体的には、録画再生処理部９４は、録画表示処理において、図６に示すように、全番組録画機能で録画された複数の放送番組（録画番組）に関する情報を、番組表形式で表示する。この番組表において、何らかの評価がされている放送番組（図６の例ではＰ１，Ｐ２）は、評価が全くされていない放送番組とは異なる色で表示される。つまり、録画再生処理部９４は、放送番組ごとの評価の有無を視認可能な表示態様で放送番組（録画番組）を一覧表示する処理を行う。また、この番組表においては、後述するおすすめ番組が、おすすめ番組以外とは異なる表示態様（例えば、文字の太さが異なる表示態様や、特定のアイコンが付された表示態様など）で表示される。
【００４５】
この番組表において、評価が存在する放送番組の１つを指定する指定操作（例えばポインタを重ねる操作や、カーソルを位置させる操作）が行われると、第１のポップアップ画面Ｗ１が出現し、評価内容情報の少なくとも一部についての詳細が表示される。例えば、定形評価の項目ごとの（図６の例では、「いいね！」、「よくないね」、「おもしろい」、「感動」、「怒り」、「驚き」の６項目についての）評価数が表示される。そして、第１のポップアップ画面Ｗ１において、評価項目の１つを指定する指定操作が行われると、第２のポップアップ画面Ｗ２が出現し、指定した評価項目の評価者であるユーザについての評価者情報が表示される。ここで表示される評価者情報としては、例えば、顔写真、氏名、ユーザ名、ユーザＩＤ、アイコン、アバター、性別、年齢層、家族における位置づけ等の情報が挙げられる。
【００４６】
さらに、第２のポップアップ画面Ｗ２において、評価者情報の１つを指定する指定操作が行われると、放送番組における、指定したユーザが放送番組において評価対象とした場面、具体的には、評価が紐付けされた時点を含む一部分、のダイジェスト再生が行われる。本実施形態では、この操作を「ダイジェスト再生操作」という。ダイジェスト再生操作が行われると、記憶ユニット１６に記憶されている放送データ（録画データ）の表す放送番組の一部期間が、再生ユニット１８により再生される。ダイジェスト再生を行う期間は、例えば、評価を行った時点の一定時間前（例えば１０秒前）から、評価を行った時点の一定時間後（例えば５秒後）までとしてもよい。つまり、ダイジェスト再生によれば、放送番組における他のユーザが評価を行った部分（換言すれば、放送番組の見所）を簡易的に視聴することができる。
【００４７】
また、録画再生処理部９４は、放送番組を選択する選択操作が行われると、放送番組の全期間を再生する通常再生を行う。本実施形態では、この操作を「通常再生操作」という。通常再生操作が行われると、記憶ユニット１６に記憶されている放送データ（録画データ）の表す放送番組が、再生ユニット１８により再生される。そして、放送番組の再生中は、放送番組の映像及び音声に加え、放送番組の場面に紐付けされている評価が表示される。例えば図７に示すように、再生ユニット１８の表示画面において、放送番組の映像に重畳される形で、定形評価や自由評価が表示される。図７に示す例では、定形評価がアイコンで表示され、自由評価（コメント）及び評価者情報が吹き出しで表示される。なお、図７に示す表示態様は一例であり、種々の表示態様が可能である。例えば、単に着目すべきシーンであることだけを表すアイコン（例えば付箋のアイコン）が表示されるようにしてもよい。
【００４８】
［１−１−２−５．選定処理部］
選定処理部９５は、放送録画処理部９２により録画された放送番組（記憶ユニット１６に記憶されている録画データ）の中から、ユーザに応じた放送番組であるおすすめ番組（選定放送番組）を選定するおすすめ番組選定処理（図１９）を行う。例えば、選定処理部９５は、再生された放送番組に関連する他の放送番組をおすすめ番組として選定する処理を行う。また例えば、選定処理部９５は、ユーザの所持する携帯装置４からユーザのライフログの情報であるログ情報を取得し、取得したログ情報に基づいておすすめ番組を選定する処理を行う。
【００４９】
［１−２．サーバの構成］
図８に示すように、サーバ２は、複数（一例として非常に多い数）のテレビ１からの情報（評価データ）を集約・管理するための装置であり、遠距離通信ユニット２１と、記憶ユニット２２と、制御ユニット２３と、を備える。
【００５０】
遠距離通信ユニット２１は、インターネット８を介してテレビ１から受信した評価データを制御ユニット２３へ出力し、制御ユニット２３から入力した評価データをインターネット８を介してテレビ１へ送信する。
【００５１】
記憶ユニット２２は、制御ユニット２３から入力した評価データを記憶する。
制御ユニット２３は、プロセッサ２３１、メモリ２３２などを備える。制御ユニット２３は、メモリ２３２に記憶されたプログラムをプロセッサ２３１が実行することにより、種々の機能を実現する。
【００５２】
［１−３．携帯装置の構成］
携帯装置４は、テレビ１のユーザが携帯可能な装置であって、例えば携帯電話機（いわゆるスマートフォンを含む。）である。携帯装置４は、図９に示すように、タッチパネルユニット４１と、撮影ユニット４２と、音入力ユニット４３と、近距離通信ユニット４４と、記憶ユニット４５と、制御ユニット４６と、を備える。
【００５３】
タッチパネルユニット４１は、制御ユニット４６から入力した画像データの表す画像を表示画面（例えば液晶ディスプレイ）に表示させ、表示画面上で行われたタッチ操作の情報を制御ユニット４６へ出力する。
【００５４】
撮影ユニット４２は、携帯装置４における表示画面側（前面）及びその裏側（背面）に設けられたカメラによる撮影画像を表す撮影データを制御ユニット４６へ出力する。
音入力ユニット４３は、携帯装置４を使用しているユーザの音声をマイクロフォンで入力し、入力した音声を表す音声信号を制御ユニット４６へ出力する。
【００５５】
近距離通信ユニット４４は、制御ユニット４６から入力したデータを近距離無線通信でテレビ１へ送信し、テレビ１から近距離無線通信で受信したデータを制御ユニット４６へ出力する。
【００５６】
記憶ユニット４５は、制御ユニット４６から入力したデータを記憶する。
制御ユニット４６は、回路４６１、プロセッサ４６２、メモリ４６３などを備える。制御ユニット４６は、ハードウェア（回路４６１及びプロセッサ４６２）及びソフトウェア（メモリ４６３に記憶されたプログラム）により、種々の機能を実現する。また、制御ユニット４６は、後述するライフログ取得処理（図２０）を実行する。
【００５７】
［２．処理］
次に、通信システムにおいて各装置で実行される処理について説明する。
［２−１．評価送信処理］
まず、携帯装置４で実行される評価送信処理について、図１０のフローチャートを用いて説明する。なお、図１０の評価送信処理は、評価送信用のアプリケーションが携帯装置４で起動されることにより開始されて繰り返し実行され、当該アプリケーションが終了されることにより終了される。当該アプリケーションは、携帯装置４のユーザがテレビ１を視聴中に使用するためのアプリケーションである。
【００５８】
携帯装置４の制御ユニット４６（具体的にはプロセッサ４６２）は、携帯装置４のユーザから評価を入力する（Ｓ１０１）。具体的には、制御ユニット４６は、図５に示すボタンと同様のボタン（ただし、ユーザボタン３８は無くてもよい。）をタッチパネルユニット４１に表示させ、タッチパネルユニット４１からタッチ操作の情報を入力する。なお、音入力ユニット４３を利用して音声によるコメントなどの入力を行うようにしてもよい。
【００５９】
続いて、制御ユニット４６は、評価内容情報及び評価者情報を、近距離通信ユニット４４を介してテレビ１へ送信する（Ｓ１０２）。具体的には、制御ユニット４６は、Ｓ１０１で入力した評価を評価者情報として送信し、当該携帯装置４に記憶されている所有ユーザの情報を評価者情報として送信する。つまり、テレビ１のユーザは複数人である場合（例えば家族でテレビ１を利用する場合）が想定されるのに対し、携帯装置４のユーザは通常一人であるため、携帯装置４の所有ユーザを評価者とみなして、評価者情報の入力を省略可能としている。
【００６０】
［２−２．設定処理］
次に、テレビ１で実行される設定処理について、図１１のフローチャートを用いて説明する。なお、図１１の設定処理は、設定メニューの表示操作がユーザにより行われたことを契機に開始される。
【００６１】
テレビ１の制御ユニット１９（具体的にはプロセッサ１９２）は、図１２に示す設定メニューを再生ユニット１８に表示させる（Ｓ２０１）。図１２の例では、「評価送信」、「送付前確認」、「撮影画像送信」、「評価表示」及び「表示除外」の５つの設定項目が用意されている。なお、これらの設定は、テレビ１のユーザ別に行えるようにしてもよい。
【００６２】
設定項目「評価送信」は、テレビ１からサーバ２へ評価を送信するか否かを設定するための設定項目である。具体的には、ユーザは、設定項目「評価送信」において「送信を許可する」を選択することで、評価の送信を許可する動作モード（評価送信許可モード）に設定にすることができる。一方、ユーザは、「送信を許可しない」を選択することで、評価の送信を許可しない動作モード（評価送信禁止モード）に設定にすることができる。
【００６３】
設定項目「送信前確認」は、設定項目「評価送信」において「送信を許可する」が選択されていることを前提として、送信する評価を送信直前にユーザに確認するか否かを設定するための設定項目である。具体的には、ユーザは、設定項目「送信前確認」において「送信前に確認する」を選択することで、送信する評価を送信直前に確認する動作モード（事前確認モード）に設定にすることができる。一方、ユーザは、「送信前に確認しない」を選択することで、送信する評価を送信直前に確認しない動作モード（確認無しモード）に設定にすることができる。事前確認モードにおいては、例えば、前述したようにユーザの表情や笑い声によって評価が推測された場合に、意図しない評価の送信が行われないようにすることができる。
【００６４】
設定項目「撮影画像送信」は、ユーザを撮影した撮影画像を表す撮影データの送信を許可するか否かを設定するための設定項目である。具体的には、ユーザは、設定項目「撮影画像送信」において「送信を許可する」を選択することで、撮影画像を表す撮影データの送信を許可する動作モード（画像送信許可モード）に設定することができる。一方、ユーザは、「送信を許可しない」を選択することで、撮影画像を表す撮影データの送信を許可しない動作モード（画像送信禁止モード）に設定することができる。また、ユーザは、「送信を許可する」を選択した場合にも、「代替画像に変換する」にチェックを入れることで、撮影画像を代替画像に変換して、代替画像を表す撮影データを送信する動作モード（代替画像送信モード）に設定することができる。代替画像は、撮影画像に画像処理を施して生成される画像であってもよく、また、あらかじめ決められている候補画像の中から選択される画像であってもよい。例えば、画像処理により撮影画像を抽象的な絵（例えばイラスト）に変換すれば、元の撮影画像と比較して、ユーザの固有情報を特定されにくくすることができる。
【００６５】
設定項目「評価表示」は、放送番組の視聴中に、視聴者による評価を表示するか否かを設定するための設定項目である。具体的には、ユーザは、設定項目「評価表示」において「すべて表示する」を選択することで、視聴者による評価を表示する動作モード（評価表示モード）に設定することができる。また、ユーザは、「登録者による評価のみ表示する」を選択することで、登録者による評価のみ表示する動作モード（限定表示モード）に設定することができる。一方、ユーザは、「すべて表示しない」を選択することで、視聴者による評価を表示しない動作モード（評価表示禁止モード）に設定することができる。限定表示モードでは、ユーザが任意に登録した他のユーザによる評価のみが表示される。例えば、ユーザは、友人を登録しておくことで、友人による評価を表示させる一方、それ以外の不特定多数の視聴者による評価を表示させないようにすることができる。
【００６６】
設定項目「表示除外」は、設定項目「評価表示」において「すべて表示する」又は「登録者による評価のみ表示する」が選択されていることを前提として、特定の評価を表示対象から除外するように設定するための設定項目である。
【００６７】
具体的には、ユーザは、設定項目「表示除外」において「コメントは表示しない」にチェックを入れることで、コメント（自由評価）を表示しない動作モード（コメント非表示モード）に設定することができる。ユーザによっては不快と感じる内容が、コメントには含まれる可能性があるからである。
【００６８】
また、ユーザは、設定項目「表示除外」において「ネタバレ情報は表示しない」にチェックを入れることで、ネタバレ情報が含まれるコメントを表示しない動作モード（ネタバレ非表示モード）に設定することができる。ネタバレ情報とは、ドラマ、映画、試合の放送番組についての結末などのように、視聴前に知ってしまうと放送番組への興味が下がってしまう情報のことである。ネタバレ情報であるか否かは、例えば特定のキーワード（「結果」、「勝」、「負」等）で判定してもよく、また、文章を解析して判定してもよい。また、放送番組のジャンル（前述したドラマ等のようにネタバレ情報が生じやすいジャンルであるか否か）に応じて判定してもよい。
【００６９】
図１１に戻り、制御ユニット１９は、設定メニューで設定された内容を確定させる（Ｓ２０２）。具体的には、制御ユニット１９は、現在の設定内容として記憶されているデータを、設定メニューで設定された内容に更新する。その後、制御ユニット１９は、図１１の設定処理を終了する。
【００７０】
［２−３．評価入力処理］
次に、テレビ１で実行される評価入力処理について、図１３のフローチャートを用いて説明する。なお、図１３の評価入力処理は、設定項目「評価送信」に関する現在の動作モードが評価送信許可モードに設定されている状態において、放送番組が再生されたことを契機に開始される。
【００７１】
制御ユニット１９は、評価が入力されたか否かを判定する（Ｓ３０１）。評価の入力方法は前述したとおりであり、ユーザによる自発的な行為に基づく入力方法としては、リモコン３のボタン操作、所定のジェスチャー、キーワードやコメントの発声、携帯装置４の操作などが挙げられる。また、制御ユニット１９は、推測に基づく入力方法として、ユーザの表情や笑い声などに基づいて推測される評価も入力する。
【００７２】
制御ユニット１９は、評価が入力されたと判定すると（Ｓ３０１：ＹＥＳ）、入力された評価を表す情報、再生中の放送番組、評価が入力されたタイミング、などに基づいて、前述したように評価内容情報、評価対象情報及び評価者情報を特定する（Ｓ３０２）。
【００７３】
続いて、制御ユニット１９は、設定項目「撮影画像送信」に関する現在の動作モードが画像送信禁止モードに設定されているか否かを判定する（Ｓ３０３）。制御ユニット１９は、動作モードが画像送信禁止モードに設定されていると判定した場合には（Ｓ３０３：ＹＥＳ）、評価内容情報及び評価者情報から撮影画像を除去し（Ｓ３０４）、処理をＳ３０７へ移行させる。
【００７４】
一方、制御ユニット１９は、動作モードが画像送信禁止モードに設定されていないと判定した場合には（Ｓ３０３：ＮＯ）、動作モードが代替画像送信モードに設定されているか否かを判定する（Ｓ３０５）。制御ユニット１９は、動作モードが代替画像送信モードに設定されていると判定した場合には（Ｓ３０５：ＹＥＳ）、評価内容情報及び評価者情報に含まれる撮影画像を代替画像に変換し（Ｓ３０６）、処理をＳ３０７へ移行させる。一方、制御ユニット１９は、動作モードが代替画像送信モードに設定されていないと判定した場合には（Ｓ３０５：ＮＯ）、Ｓ３０６をスキップして処理をＳ３０７へ移行させる。
【００７５】
Ｓ３０７で、制御ユニット１９は、設定項目「送信前確認」に関する現在の動作モードが事前確認モードに設定されているか否かを判定する（Ｓ３０７）。制御ユニット１９は、動作モードが事前確認モードに設定されていると判定した場合には（Ｓ３０７：ＹＥＳ）、送信しようとする評価データの表す評価内容情報、評価対象情報及び評価者情報を再生ユニット１８に表示させる（Ｓ３０８）。そして、制御ユニット１９は、表示した評価データの送信がユーザにより許可されたか否かを判定する（Ｓ３０９）。具体的には、ユーザによる操作待ちの状態となる。
【００７６】
制御ユニット１９は、評価データの送信がユーザにより許可されなかった（送信が取り消された）と判定した場合には（Ｓ３０９：ＮＯ）、処理をＳ３０１へ戻す。一方、制御ユニット１９は、評価データの送信がユーザにより許可されたと判定した場合には（Ｓ３０９：ＹＥＳ）、処理をＳ３１０へ移行させる。
【００７７】
また、制御ユニット１９は、前述したＳ３０７で動作モードが事前確認モードに設定されていない（確認無しモードに設定されている）と判定した場合には（Ｓ３０７：ＮＯ）、Ｓ３０８〜Ｓ３０９をスキップして処理をＳ３１０へ移行させる。
【００７８】
Ｓ３１０で、制御ユニット１９は、評価データを遠距離通信ユニット１７を介してサーバ２へ送信し（Ｓ３１０）、処理をＳ３０１へ戻す。
［２−４．評価管理処理］
次に、サーバ２で実行される評価管理処理について、図１４のフローチャートを用いて説明する。なお、図１４の評価管理処理は、常時実行される。
【００７９】
サーバ２の制御ユニット２３（具体的にはプロセッサ２３１）は、インターネット８を介してテレビ１から評価データが受信されたか否かを判定する（Ｓ４０１）。制御ユニット２３は、テレビ１から評価データが受信されたと判定した場合には（Ｓ４０１：ＹＥＳ）、受信された評価データを記憶ユニット２２に保存し（Ｓ４０２）、処理をＳ４０３へ移行させる。一方、制御ユニット２３は、テレビ１から評価データが受信されていないと判定した場合には（Ｓ４０１：ＮＯ）、Ｓ４０２をスキップして処理をＳ４０３へ移行させる。
【００８０】
Ｓ４０３で、制御ユニット２３は、インターネット８を介してテレビ１から評価データの送信要求が受信されたか否かを判定する（Ｓ４０３）。制御ユニット２３は、テレビ１から評価データの送信要求が受信されていないと判定した場合には（Ｓ４０３：ＮＯ）、処理をＳ４０１へ戻す。
【００８１】
一方、制御ユニット２３は、テレビ１から評価データの送信要求が受信されたと判定した場合には（Ｓ４０３：ＹＥＳ）、要求された評価データを抽出し（Ｓ４０４）、抽出した評価データをインターネット８を介して要求元のテレビ１へ送信する（Ｓ４０５）。その後、制御ユニット２３は、処理をＳ４０１へ戻す。
【００８２】
［２−５．録画再生処理］
次に、テレビ１で実行される録画再生処理について、図１５のフローチャートを用いて説明する。なお、図１５の録画再生処理は、録画された放送番組を再生するための操作がユーザにより行われたことを契機に開始される。
【００８３】
制御ユニット１９は、記憶ユニット１６に記憶されている放送データ（録画データ）の表す放送番組（録画番組）に関する情報、具体的には、放送番組を一覧表示するために必要な情報（チャンネル、放送日時、番組名等）を取得する（Ｓ５０１）。本実施形態では、全番組録画機能で録画されたすべての放送番組の情報が取得される。
【００８４】
続いて、制御ユニット１９は、設定項目「評価表示」に関する現在の動作モードが評価表示禁止モードに設定されているか否かを判定する（Ｓ５０２）。制御ユニット１９は、動作モードが評価表示禁止モードに設定されていないと判定した場合には（Ｓ５０２：ＮＯ）、動作モードが限定表示モードに設定されているか否かを判定する（Ｓ５０３）。
【００８５】
制御ユニット１９は、動作モードが限定表示モードに設定されていない（評価表示モードに設定されている）と判定した場合には（Ｓ５０３：ＮＯ）、Ｓ５０１で取得した放送番組についてのすべての評価データを遠距離通信ユニット１７を介してサーバ２から取得する（Ｓ５０４）。具体的には、制御ユニット１９は、評価データの送信要求を、遠距離通信ユニット１７を介してサーバ２へ送信する。そして、制御ユニット１９は、処理をＳ５０６へ移行させる。
【００８６】
一方、制御ユニット１９は、動作モードが限定表示モードに設定されていると判定した場合には（Ｓ５０３：ＹＥＳ）、Ｓ５０１で取得した放送番組についての評価データであって登録者による評価データをサーバ２から取得し（Ｓ５０５）、処理をＳ５０６へ移行させる。
【００８７】
Ｓ５０６で、制御ユニット１９は、設定項目「表示除外」に関する現在の動作モードがコメント非表示モードに設定されているか否かを判定する（Ｓ５０６）。制御ユニット１９は、動作モードがコメント非表示モードに設定されていると判定した場合には（Ｓ５０６：ＹＥＳ）、サーバ２から取得した評価データに含まれるすべてのコメントを削除し（Ｓ５０７）、処理をＳ５１０へ移行させる。
【００８８】
一方、制御ユニット１９は、動作モードがコメント非表示モードに設定されていないと判定した場合には（Ｓ５０６：ＮＯ）、動作モードがネタバレ非表示モードに設定されているか否かを判定する（Ｓ５０８）。制御ユニット１９は、動作モードがネタバレ非表示モードに設定されていると判定した場合には（Ｓ５０８：ＹＥＳ）、サーバ２から取得した評価データに含まれるコメントを解析し、ネタバレ情報を含むと判定したコメントを削除した後（Ｓ５０９）、処理をＳ５１０へ移行させる。
【００８９】
一方、制御ユニット１９は、動作モードがネタバレ非表示モードに設定されていないと判定した場合には（Ｓ５０８：ＮＯ）、Ｓ５０９をスキップして処理をＳ５１０へ移行させる。
【００９０】
また、制御ユニット１９は、前述したＳ５０２で、動作モードが評価表示禁止モードに設定されていると判定した場合には（Ｓ５０２：ＹＥＳ）、Ｓ５０３〜Ｓ５０９をスキップして、処理をＳ５１０へ移行させる。
【００９１】
Ｓ５１０で、制御ユニット１９は、放送番組（録画番組）及び評価を一覧表示する（Ｓ５１０）。表示形式は前述したとおりである（図６参照）。なお、放送番組に対応する評価データがなければ評価は表示されない。
【００９２】
続いて、制御ユニット１９は、ダイジェスト再生操作が行われたか否かを判定する（Ｓ５１１）。制御ユニット１９は、ダイジェスト再生操作が行われたと判定した場合には（Ｓ５１１：ＹＥＳ）、前述したダイジェスト再生を行い（Ｓ５１２）、ダイジェスト再生の終了後に処理をＳ５１０へ戻す。
【００９３】
一方、制御ユニット１９は、ダイジェスト再生操作が行われていないと判定した場合には（Ｓ５１１：ＮＯ）、通常再生操作が行われたか否かを判定する（Ｓ５１３）。制御ユニット１９は、通常再生操作が行われたと判定した場合には（Ｓ５１３：ＹＥＳ）、前述した通常再生を行う通常再生処理を実行し（Ｓ５１４）、通常再生処理の終了後に処理をＳ５１０へ戻す。
【００９４】
一方、制御ユニット１９は、通常再生操作が行われていないと判定した場合には（Ｓ５１３：ＮＯ）、録画再生処理の終了操作が行われたか否かを判定する（Ｓ５１５）。制御ユニット１９は、終了操作が行われていないと判定した場合には（Ｓ５１５：ＮＯ）、処理をＳ５１０へ戻す。
【００９５】
一方、制御ユニット１９は、終了操作が行われたと判定した場合には（Ｓ５１５：ＹＥＳ）、図１５の録画再生処理を終了する。
次に、前述したＳ５１４で実行される通常再生処理について、図１６及び図１７のフローチャートを用いて説明する。
【００９６】
制御ユニット１９は、再生中の放送番組を視聴しているユーザを特定する（Ｓ６０１）。ユーザの特定は、例えば、撮影ユニット１３による撮影データを解析（顔認識）することにより特定される。なお、実際に視聴しているユーザを特定することに限定されるものではなく、簡易的な手法でユーザを特定してもよい。例えば、あらかじめ決められているユーザ（例えばテレビ１の所有者として登録されているユーザ）を、再生中の放送番組を視聴しているユーザとして特定してもよい。
【００９７】
続いて、制御ユニット１９は、テレビ１の表示画面においてユーザが注目している対象である注目対象を特定する（Ｓ６０２）。注目対象は、例えば、撮影ユニット１３による撮影データを解析してユーザの視線を検出し、テレビ１の表示画面におけるユーザが注目している位置と、テレビ１の表示画面に表示されている映像と、を対応付けることにより特定することが可能である。具体的には、放送番組で再生される映像（本編だけでなくＣＭも含む。）において、特定の人物、特定の商品（例えば市販されている物品）、特定の施設（例えば、レストラン、娯楽施設、宿泊施設）などが、あらかじめ対象候補として設定されている。このため、表示画面における注目位置が特定されれば、どの対象候補が注目対象であるかが容易に特定される。つまり、再生中の放送番組を視聴するユーザの視線に基づいて、再生中の映像における注目対象が特定される。なお、注目対象の特定に必要なデータ（例えば、放送番組に含まれる対象候補の出現時刻や表示画面における位置）は、例えば放送データにあらかじめ含まれていてもよい。また例えば、注目対象の特定に必要なデータがサーバ２に記憶されており、必要時に参照、取得等できるようにしてもよい。
【００９８】
続いて、制御ユニット１９は、対象候補を選択する操作（以下「対象選択操作」という。）がユーザにより行われたか否かを判定する（Ｓ６０３）。前述したＳ６０２は、ユーザが無意識に注目している対象候補を特定する処理である。これに対し、Ｓ６０３は、対象候補のうちの１つをユーザが自らの意思で選択する操作が行われたか否かを判定する処理である。対象選択操作は、例えば、表示画面における位置を指定する操作として実現される。なお、対象選択操作は、音声を利用して行われるようにしてもよい。
【００９９】
制御ユニット１９は、対象選択操作が行われたと判定した場合には（Ｓ６０３：ＹＥＳ）、対象選択操作により選択された対象候補（以下「選択対象」という。）に関する詳細情報を、テレビ１の表示画面に表示する選択対象表示処理を実行する（Ｓ６０４）。その後、制御ユニット１９は、処理をＳ６０５へ移行させる。つまり、対象選択操作とは、選択した対象候補に関する詳細情報を表示させる処理である。なお、選択対象表示処理の具体的な処理内容については後述する（図１８）。
【０１００】
一方、制御ユニット１９は、対象選択操作が行われていないと判定した場合には（Ｓ６０３：ＮＯ）、Ｓ６０４をスキップして処理をＳ６０５へ移行させる。
Ｓ６０５で、制御ユニット１９は、テレビ１の表示画面に表示される映像の表示態様を変更する操作（以下「表示態様変更操作」という。）が行われたか否かを判定する。その前提として、本実施形態では、次のａ〜ｃの放送データが想定されている。
【０１０１】
ａ：表示画面に表示される映像があらかじめ決められている通常の放送データ。
ｂ：同一対象を同時に複数の視点から見た映像を含む放送データ（以下「視点可変放送データ」という。）。
【０１０２】
ｃ：再生中に表示画面に表示される範囲よりもサイズの大きい映像を表す放送データ（以下「範囲可変放送データ」という。）。
再生元の放送データが視点可変放送データである場合、ユーザは、放送データに含まれる複数の視点から見た映像のうち、表示態様変更操作で指定した映像を表示画面に表示させることができる。例えば、テレビショッピングで紹介されている商品を、通常の視点（例えば正面視）とは異なる視点（例えば側面視、上面視、背面視等）で閲覧することができる。つまり、ある時点での映像を、角度を変えて閲覧することができる。なお、角度を変えた映像が携帯装置４の表示画面に表示されるようにしてもよい。
【０１０３】
また、再生元の放送データが範囲可変放送データである場合、ユーザは、放送番組のデータの表す映像のうちのどの部分を表示するかを指定して、表示画面に表示させることができる。例えば、サッカー中継において、通常の表示範囲（例えばボールを中心とした範囲）とは異なる範囲（例えば特定の選手を中心とした範囲）で閲覧することができる。また例えば、競馬中継において、通常の表示範囲（例えば先頭の馬が含まれる範囲）とは異なる範囲（例えば特定の馬を中心とした範囲）で閲覧することができる。つまり、ある時点での映像において表示する範囲を変えて閲覧することができる。なお、範囲を変えた映像が携帯装置４の表示画面に表示されるようにしてもよい。
【０１０４】
視点可変放送データや範囲可変放送データは、通常の放送データと比較してデータ量が大きくなる。そこで、放送用の放送データと録画用の放送データとを異ならせ、録画用の放送データのデータ量を大きくするようにしてもよい。また、インターネット経由で放送データの少なくとも一部が送信されるようにしてもよい。
【０１０５】
制御ユニット１９は、表示態様変更操作が行われたと判定した場合には（Ｓ６０５：ＹＥＳ）、表示態様変更操作に応じて表示態様を変更した後（Ｓ６０６）、処理をＳ６０７へ移行させる。一方、制御ユニット１９は、表示態様変更操作が行われていないと判定した場合には（Ｓ６０５：ＮＯ）、Ｓ６０６をスキップして処理をＳ６０７へ移行させる。
【０１０６】
Ｓ６０７で、制御ユニット１９は、放送番組においてＣＭを再生すべき期間（以下「ＣＭ再生期間」という。）であるか否かを判定する。ＣＭ再生期間は、放送番組ごとに例えば開始時刻及び終了時刻という形式であらかじめ定められている。
【０１０７】
制御ユニット１９は、ＣＭ再生期間であると判定した場合には（Ｓ６０７：ＹＥＳ）、優先順位に従いＣＭを選択する（Ｓ６０８）。その前提として、本実施形態では、放送データとして、再生されるＣＭが固定されている放送データ（以下「ＣＭ固定放送データ」という。）と、再生されるＣＭが固定されていない放送データ（以下「ＣＭ可変放送データ」という。）と、が想定されている。
【０１０８】
ＣＭ可変放送データには、当該放送データの表す放送番組において再生されるべきＣＭ期間よりも合計期間の長いＣＭ（換言すれば、再生されるべきＣＭの数よりも多いＣＭ）が含まれている。例えば、放送番組内のＣＭ期間が合計で５分間であれば、例えば１５秒間のＣＭが２０本含まれることが通常であるが、ＣＭ可変放送データには、例えば１５秒間のＣＭが４０本含まれている。このため、放送データに含まれる複数のＣＭのすべてが再生されるのではなく、複数のＣＭのうちの一部のＣＭが再生される。
【０１０９】
Ｓ６０８の処理は、再生中の放送データがＣＭ可変放送データである場合に、再生されるべきＣＭを優先順位に従い選択する処理である。優先順位は、初期値が設定されているものの、固定値ではなく、後述する処理（Ｓ６１１）により変更され得る。なお、ＣＭ固定放送データの場合、Ｓ６０８の処理自体が不要となるが、見方を変えれば、優先順位が固定されていると捉えることもできる。
【０１１０】
続いて、制御ユニット１９は、再生されたＣＭの履歴を記録し（Ｓ６０９）、処理をＳ６１０へ移行させる。履歴を記録する理由は、過去に再生（視聴）されていないＣＭと過去に再生（視聴）されたことのあるＣＭとを区別するためである。一方、制御ユニット１９は、ＣＭ再生期間でないと判定した場合には（Ｓ６０７：ＮＯ）、Ｓ６０８〜Ｓ６０９をスキップして処理をＳ６１０へ移行させる。
【０１１１】
Ｓ６１０で、制御ユニット１９は、視聴を希望する又は希望しないＣＭを選択する操作（以下「ＣＭ選択操作」という。）がユーザにより行われたか否かを判定する。これは、前述したＣＭ可変放送データについて、再生されるべきＣＭの優先順位を変更する操作である。例えば、再生候補のＣＭが一覧表示され、視聴を希望するＣＭ及び視聴を希望しないＣＭがリモコン３などで選択されると、選択結果が反映されるように優先順位が変更されるといった使用方法が想定される。つまり、放送番組のデータに含まれる複数のＣＭのうち、ユーザにより選択されたＣＭが再生される。なお、ＣＭの再生中に拒否操作を行うことで、以降の再生において同一のＣＭがカットされるようにしてもよい。拒否操作は、音声を利用して行われるようにしてもよい。
【０１１２】
制御ユニット１９は、ＣＭ選択操作がユーザにより行われたと判定した場合には（Ｓ６１０：ＹＥＳ）、ＣＭ選択操作に応じて再生されるべきＣＭの優先順位を変更した後（Ｓ６１１）、処理をＳ６１２へ移行させる。一方、制御ユニット１９は、ＣＭ選択操作がユーザにより行われていないと判定した場合には（Ｓ６１０：ＮＯ）、Ｓ６１１をスキップして処理をＳ６１２へ移行させる。
【０１１３】
なお、ＣＭの優先順位は、ＣＭ選択操作以外で変更されるようにしてもよい。例えば、Ｓ６０９で記録された履歴（ＣＭ視聴履歴）に基づき、ユーザが過去に再生（視聴）していないＣＭが優先されるように優先順位が変更されるようにしてもよい。また例えば、ユーザの情報（性別、年齢層、趣味等）に応じた優先順位に変更されるようにしてもよい。
【０１１４】
Ｓ６１２で、制御ユニット１９は、中断事象が発生したか否かを判定する。中断事象とは、ユーザが放送番組の視聴を中断すべき事象であって、あらかじめ設定されている。本実施形態では、ユーザの電話機に着信があったこと、ユーザが電子メールを受信したこと、ユーザの自宅の防犯センサにより異常が検出されたこと、ユーザの自宅のインターホンが鳴ったこと、などが中断事象として設定されている。
【０１１５】
制御ユニット１９は、中断事象が発生したと判定した場合には（Ｓ６１２：ＹＥＳ）、放送番組の再生を一時停止する（Ｓ６１３）。なお、一時停止した表示画面に、中断事象に関連する情報（中断事象の種類や防犯カメラの映像等）を表示してもよい。
【０１１６】
その後、制御ユニット１９は、中断事象が解消したか否かを判定する（Ｓ６１４）。中断事象の解消が具体的に何を意味するかは、中断事象によって異なる。例えば、ユーザの電話機に着信があったことが中断事象である場合、中断事象の解消とは、電話が終了したことである。また例えば、ユーザが電子メールを受信したことが中断事象である場合、中断事象の解消とは、電子メールの操作が終了したことである。また例えば、ユーザの自宅の防犯センサにより異常が検出されたことが中断事象である場合、中断事象の解消とは、ユーザによる異常の確認が終了したことである。また例えば、ユーザの自宅のインターホンが鳴ったことが中断事象である場合、中断事象の解消とは、インターホンを鳴らした来客への応対が終了したことである。
【０１１７】
制御ユニット１９は、中断事象が解消していないと判定した場合には（Ｓ６１４：ＮＯ）、ユーザによる放送番組の再生を再開する操作（一時停止を解除する操作）が行われたか否かを判定する（Ｓ６１５）。制御ユニット１９は、放送番組の再生を再開する操作が行われていないと判定した場合には（Ｓ６１５：ＮＯ）、処理をＳ６１４へ戻す。
【０１１８】
一方、制御ユニット１９は、中断事象が解消したと判定した場合（Ｓ６１４：ＹＥＳ）、又は、放送番組の再生を再開する操作が行われたと判定した場合には（Ｓ６１５：ＹＥＳ）、放送番組の再生を再開し（Ｓ６１６）、処理をＳ６１７へ移行させる。つまり、中断事象が発生した時点で再生が一時停止され、中断事象が解消した時点で再生が再開される。ただし、これに限定されるものではなく、例えば、中断事象が発生しても再生が継続され、中断事象が解消した場合に、中断事象が発生した時点まで戻して再生されるようにしてもよい。
【０１１９】
また、制御ユニット１９は、前述したＳ６１２で、中断事象が発生していないと判定した場合には（Ｓ６１２：ＮＯ）、Ｓ６１３〜Ｓ６１５をスキップして処理をＳ６１７へ移行させる。
【０１２０】
Ｓ６１７で、制御ユニット１９は、放送番組の再生が終了したか否かを判定する。ここでいう放送番組の終了には、放送番組が最後まで再生されたことだけでなく、ユーザによる停止操作などで再生が終了した場合も含まれる。制御ユニット１９は、放送番組の再生が終了していないと判定した場合には（Ｓ６１７：ＮＯ）、処理をＳ６０１へ戻す。
【０１２１】
一方、制御ユニット１９は、放送番組の再生が終了したと判定した場合には（Ｓ６１７：ＹＥＳ）、再生された放送番組に関する情報及びユーザに関する情報をサーバ２へ送信する（Ｓ６１８）。ここでいうサーバ２は、例えば、放送番組及びユーザに関する情報を、テレビ局へ提供してもよい。これにより、テレビ局は、ユーザに対し、視聴された放送番組に関するサービス（例えば、視聴されたドラマに関する特典映像の配信）などを行うことができる。また例えば、サーバ２は、ユーザの所有する携帯装置４や車載ナビゲーション装置などとの情報共有（クラウドサービス）を実現してもよい。これにより、放送番組で紹介された施設等をナビゲーション装置の地図上に表示したり、近くを通った際に報知したりするなどの機能が実現可能となる。
【０１２２】
続いて、制御ユニット１９は、再生が終了した放送番組に関連する録画番組を選定する（Ｓ６１９）。ここでいう関連とは、例えば、ジャンル、放送局、出演者などの項目についての共通度の高さとして表される。前述したように、再生された放送番組ではユーザが注目した注目対象が特定されるため、特定された注目対象の共通度が重視されるように録画番組が選定されるようにしてもよい。ただし、これに限定されるものではなく、例えば、スポーツ中継番組の再生が終了した後に、そのスポーツ中継を取り扱ったニュース番組が選定されるといったように、再生された放送番組と特有の関係にある放送番組が選定されるようにしてもよい。
【０１２３】
続いて、制御ユニット１９は、Ｓ６１９で選定した録画番組を、テレビ１の表示画面に表示する（Ｓ６２０）。つまり、録画番組の再生後に、当該録画番組に関連する他の録画番組の選択画面が表示される。
【０１２４】
続いて、制御ユニット１９は、ユーザによる放送番組の再生操作が行われたか否かを判定する（Ｓ６２１）。制御ユニット１９は、再生操作が行われていないと判定した場合には（Ｓ６２１：ＮＯ）、ユーザによる通常再生の終了操作が行われたか否かを判定する（Ｓ６２２）。制御ユニット１９は、通常再生の終了操作が行われていないと判定した場合には（Ｓ６２２：ＮＯ）、処理をＳ６２１へ戻す。
【０１２５】
一方、制御ユニット１９は、再生操作が行われたと判定した場合には（Ｓ６２１：ＹＥＳ）、処理をＳ６０１へ戻し、再生操作により指定された放送番組の再生を開始する。また、制御ユニット１９は、通常再生の終了操作が行われたと判定した場合には（Ｓ６２２：ＹＥＳ）、図１６及び図１７の通常再生処理を終了する。
【０１２６】
次に、前述したＳ６０４で実行される選択対象表示処理について、図１８のフローチャートを用いて説明する。
制御ユニット１９は、放送番組の再生を一時停止する（Ｓ７０１）。
【０１２７】
続いて、制御ユニット１９は、選択対象を表す情報と、再生中の放送番組を視聴しているユーザ（Ｓ６０１で特定されたユーザ）を表す情報（例えば、固有情報、電子メールアドレス、電話番号、住所等）と、をサーバ２へ送信する（Ｓ７０２）。ここでいうサーバ２は、選択対象に関する詳細情報を提供する機能を有するが、これに限定されるものではない。例えば、サーバ２は、選択対象の商品の販売業者（食品メーカー、洋服メーカー、自動車ディーラー、住宅メーカー等）へ送信情報を通知する機能を有していてもよい。このようにすれば、選択対象に関する資料（試供品、商品、カタログ等）などが販売業者からユーザへ郵送や電子メール等で送付されるサービスを実現することができる。例えば、商品自体が郵送され、ユーザが気に入らなければ無料で返品できるようにしてもよい。なお、電子メールは、テレビ１で受信されるようにしてもよく、ユーザの携帯装置４で受信されるようにしてもよい。
【０１２８】
続いて、制御ユニット１９は、選択対象に関する詳細情報をサーバ２から取得する（Ｓ７０３）。詳細情報は、放送番組の種類や選択対象の種類などによって異なり得る。例えば、選択対象が衣服や自動車などの商品である場合、その商品自体の情報（例えば、商品名、説明、価格）や、その商品を販売している最寄りの店舗についての情報（例えば、店名、住所、地図）などが詳細情報として提供されるようにしてもよい。また例えば、選択対象が施設である場合、その施設の名称、説明、住所、地図などが詳細情報として提供されるようにしてもよい。
【０１２９】
続いて、制御ユニット１９は、選択対象に関する詳細情報（Ｓ７０３で取得した情報）をテレビ１の表示画面に表示する（Ｓ７０４）。なお、詳細情報を表示する装置はテレビ１に限定されるものではなく、例えば携帯装置４の表示画面に表示されるようにしてもよい。
【０１３０】
続いて、制御ユニット１９は、表示画面に表示された情報に応じた操作がユーザにより行われたか否かを判定する（Ｓ７０５）。ここでいう操作とは、情報を閲覧するための閲覧操作に限定されるものではなく、例えば、商品を購入する購入操作であってもよい。具体的には、例えば料理番組等で紹介されたレシピに用いられる食材等を注文できるようにしてもよい。また、購入操作の場合、商品の残数が表示され、購買意欲があおられるようにしてもよい。
【０１３１】
制御ユニット１９は、表示画面に表示された情報に応じた操作がユーザにより行われたと判定した場合には（Ｓ７０５：ＹＥＳ）、操作に応じた処理を行った後（Ｓ７０６）、処理をＳ７０７へ移行させる。ここでいう操作に応じた処理とは、例えば閲覧操作であれば操作に応じた画像を表示する処理であり、例えば購入操作であれば購入画面を表示する処理や決済を行うための処理である。
【０１３２】
一方、制御ユニット１９は、表示画面に表示された情報に応じた操作がユーザにより行われていないと判定した場合には（Ｓ７０５：ＮＯ）、Ｓ７０６をスキップして処理をＳ７０７へ移行させる。
【０１３３】
Ｓ７０７で、制御ユニット１９は、放送番組の再生を再開する操作がユーザにより行われたか否かを判定する（Ｓ７０７）。制御ユニット１９は、放送番組の再生再開操作がユーザにより行われていないと判定した場合には（Ｓ７０７：ＮＯ）、処理をＳ７０５へ戻す。
【０１３４】
一方、制御ユニット１９は、放送番組の再生再開操作がユーザにより行われたと判定した場合には（Ｓ７０７：ＹＥＳ）、放送番組の再生を再開し（Ｓ７０８）、図１８の選択対象表示処理を終了する。つまり、対象選択操作が行われた時点で再生が一時停止され、再生再開操作が行われた時点で再生が再開される。ただし、これに限定されるものではなく、例えば、対象選択操作が行われても再生が継続され、再生再開操作が行われた場合に、対象選択操作が行われた時点まで戻して再生されるようにしてもよい。
【０１３５】
次に、テレビ１で実行されるおすすめ番組選定処理について、図１９のフローチャートを用いて説明する。なお、図１９のおすすめ番組選定処理は、定期的に（例えば１日に１回）実行される。
【０１３６】
制御ユニット１９は、録画番組のうち、過去に再生された放送番組に関連する他の放送番組をおすすめ番組として選定する（Ｓ８０１）。過去に再生された放送番組は、例えば最新の１つでもよく、また、複数でもよい。関連する放送番組は、前述したＳ６１９と同様の条件で選定されるようにしてもよい。また、前述したように、再生された放送番組ではユーザが注目した注目対象が特定されるため、特定された注目対象に関連する放送番組がおすすめ番組として選定されるようにしてもよい。
【０１３７】
続いて、制御ユニット１９は、ユーザの所持する携帯装置４からユーザのライフログの情報であるログ情報を取得する（Ｓ８０２）。なお、携帯装置４から取得されるログ情報の具体例については後述する（図２０）。
【０１３８】
続いて、制御ユニット１９は、取得したログ情報に基づいて、録画番組の中からおすすめ番組を選定する（Ｓ８０３）。例えば、ユーザが過去に訪問した施設に関する放送番組や、会話や検索キーワードなどで用いられた内容に関する放送番組などが、おすすめ番組として選定される。
【０１３９】
続いて、制御ユニット１９は、サーバ２から類似ユーザの視聴情報を取得する（Ｓ８０４）。類似ユーザとは、ユーザと共通点の多い他のユーザのことである。共通点を判断する項目としては、例えば、性別、年齢層、配偶者の有無、子供の有無、居住地、出身地、趣味などが挙げられる。視聴情報は、ユーザが視聴した放送番組に関する情報であり、例えば前述したＳ６１８の処理でサーバ２へ送信される。
【０１４０】
続いて、制御ユニット１９は、取得した視聴情報に基づいて、録画番組の中からおすすめ番組を選定し（Ｓ８０５）、図１９のおすすめ番組選定処理を終了する。例えば、類似ユーザの視聴情報が統計処理されて視聴率の高い放送番組が特定され、特定された放送番組がおすすめ番組として選定される。例えば、３０代男性で趣味がゴルフのユーザの多くが視聴する番組が選定される。なお、視聴情報の取得対象は類似ユーザに限定されるものではなく、例えばユーザの知人（友人等）としてもよい。
【０１４１】
次に、携帯装置４で実行されるライフログ取得処理について、図２０のフローチャートを用いて説明する。なお、図２０のライフログ取得処理は、ライフログ記録用のアプリケーションが携帯装置４で起動されることにより開始されて繰り返し実行され、当該アプリケーションが終了されることにより終了される。
【０１４２】
制御ユニット４６は、音入力ユニット４３により入力される音を解析する（Ｓ９０１）。音入力ユニット４３により入力される音としては、例えば、通話中のユーザの音声が挙げられる。ただし、これに限定されるものではなく、例えば通話中以外にも音を常時入力するようにしてもよい。このようにすれば、普段の会話の内容を解析するといったことが可能となる。また、テレビ１から出力された音を入力して解析（例えばデータベースと照合）し、ユーザが視聴中の放送番組を特定するようにしてもよい。また、携帯装置４がテレビ１のリモコンとして使用された場合の操作に基づいて、ユーザが視聴中の放送番組を特定するようにしてもよい。
【０１４３】
続いて、制御ユニット４６は、撮影ユニット４２により入力される撮影画像を解析する（Ｓ９０２）。例えば、周囲の状況を常時撮影し、場所などを判断する材料としてもよい。また例えば、ユーザの視線や表情などを監視してもよい。
【０１４４】
続いて、制御ユニット４６は、携帯装置４を所持するユーザの行動を、種々の情報から解析する（Ｓ９０３）。種々の情報には、Ｓ９０１で解析した音の情報や、Ｓ９０２で解析した撮影画像の情報の他に、時刻、位置、ユーザにより設定されたスケジュール、案内データなどが挙げられる。ここでいう位置とは、ＧＰＳ等により検出される地図上の位置であり、位置の変化（移動速度）に基づいて、移動手段（徒歩、電車、自動車等）や停滞時間などが特定される。また、ここでいう案内データには、ナビゲーション機能で設定された案内ルートの他、公共交通機関の乗車、乗り換え等の情報が含まれる。こうした種々の情報から、ユーザの行動が推定される。
【０１４５】
［３．効果］
以上詳述した実施形態によれば、以下の効果が得られる。
［３Ａ］放送番組に関する視聴者による評価を表す評価データが外部のサーバ２からテレビ１へ送信され、録画された放送番組に関する情報と、当該放送番組に関する評価データの表す評価と、が関連付けてテレビ１に表示される。したがって、テレビ１のユーザは、全番組録画機能で録画された放送番組の中から、視聴すべき放送番組を、他の視聴者による評価に基づいて選択することができる。
【０１４６】
［３Ｂ］録画された複数の放送番組に関する情報が、放送番組ごとに、評価の有無を視認可能な表示態様でテレビ１に一覧表示される。したがって、テレビ１のユーザは、複数の放送番組のそれぞれについて、視聴者により評価がされているか否かを容易に識別することができる。
【０１４７】
［３Ｃ］再生されている放送番組に関するユーザによる評価がテレビ１により入力され、入力された評価がテレビ１からサーバ２へ送信される。したがって、テレビ１のユーザは、他の視聴者による評価を閲覧するだけでなく、自身による評価を他の視聴者に閲覧させることができる。
【０１４８】
［３Ｄ］テレビ１のユーザによる評価は、放送番組における具体的場面（放送番組における１つの時点）に紐付けされる。したがって、テレビ１のユーザは、他の視聴者による評価が、放送番組におけるどの場面に対するものであるかを、具体的に特定することができる。しかも、ユーザが評価を指定することで、評価が行われた時点を含む放送番組の一部期間がダイジェスト再生されるため、ユーザは、他の視聴者により評価された内容を簡易的に視聴した上で、再生する放送番組（録画番組）を選択することができる。
【０１４９】
［３Ｅ］テレビ１のユーザは、ジェスチャーや発声によっても評価を入力することができる。したがって、テレビ１のユーザは、放送番組の視聴を損ないにくい形で、かつ、短時間で評価を入力することができる。
【０１５０】
［３Ｆ］テレビ１のユーザが放送番組の視聴中に笑うなどした場合、その表情や笑い声に基づく推測により評価が自動的に入力される。したがって、テレビ１のユーザは、特別に意識することなく、放送番組に対する評価を入力することができる。
【０１５１】
［３Ｇ］複数のユーザが１台のテレビ１を共有する環境においても、評価を行ったユーザを評価者情報により区別することができる。特に、携帯装置４から評価が入力された場合には、携帯装置４に記憶されている所有ユーザの情報が評価者情報として送信されるため、携帯装置４のユーザは、評価者情報の入力操作を省略することが可能となる。また、顔認識や音声認識などにより評価者情報が特定される場合も同様に、ユーザによる評価者情報の入力操作を省略することが可能となる。
【０１５２】
［３Ｈ］テレビ１は、登録者による評価のみ表示することが可能であるため、ユーザは、不特定多数のユーザによる評価の中から、興味のあるユーザの評価のみを利用することができる。
【０１５３】
［３Ｉ］テレビ１は、ネタバレ情報を表示しないようにすることが可能であるため、ユーザは、ネタバレ情報を閲覧しにくい形で、他の視聴者による評価を閲覧することができる。
【０１５４】
［３Ｊ］テレビ１は、対象選択操作がユーザにより行われた場合に、選択された対象候補に関する情報を表示する。したがって、ユーザは、再生中の映像において対象候補を選択するだけで、選択した対象候補に関する情報を閲覧することができる。
【０１５５】
なお、上記実施形態では、録画番組を再生する録画再生処理において、対象候補を選択する対象選択操作がユーザにより行われた場合に、選択された対象候補に関する情報を表示する処理を例示したが、これに限定されるものではない。例えば、放送局から放送されている放送データの表す放送番組を再生する放送再生処理において、対象候補を選択する対象選択操作がユーザにより行われた場合に、選択された対象候補に関する情報を表示するようにしてもよい。
【０１５６】
［３Ｋ］テレビ１は、対象選択操作がユーザにより行われた場合に、放送番組の再生を停止した後、選択された対象候補に関する情報を表示する。したがって、対象選択操作が行われても放送番組の再生が停止されない構成と比較して、放送番組の続きが気になりにくい形で対象候補に関する情報を表示することができる。
【０１５７】
［３Ｌ］テレビ１は、対象選択操作がユーザにより行われた場合に、選択された対象候補及びユーザを表す情報を外部のサーバ２へ通知する。したがって、ユーザに選択された対象候補についての種々のサービスを実現することが可能となる。
【０１５８】
［３Ｍ］テレビ１は、録画番組の中から、ユーザに応じたおすすめ番組を選定し、おすすめ番組に関する情報を、おすすめ番組以外の放送番組に関する情報とは異なる態様で表示する。したがって、録画された放送番組の中から、ユーザに応じた放送番組を選択しやすくすることができる。その結果、ユーザは、特段意識しなくても、関心の高い放送番組を視聴しやすくなる。
【０１５９】
なお、上記実施形態では全番組録画機能を前提としているが、これに限定されるものではなく、ユーザの操作により指定された放送番組が録画されるようにしてもよい。この場合、例えば、テレビ１が、前述した図１９の処理で、放送予定の放送番組の中からおすすめ番組を選定し、選定したおすすめ番組を録画予約するようにしてもよい。このような構成によれば、ユーザに応じた放送番組が自動的に録画されるようにすることができる。その結果、ユーザは、特段意識しなくても、関心の高い放送番組を視聴しやすくなる。また、この場合、録画予約された放送番組（予約結果）が携帯装置４へ通知されるようにしてもよい。
【０１６０】
［３Ｎ］テレビ１は、再生された放送番組に関連する他の放送番組をおすすめ番組として選定するため、ユーザが、視聴した放送番組に関連する他の放送番組を見逃してしまうことを生じにくくすることができる。
【０１６１】
［３Ｏ］テレビ１は、ユーザのライフログの情報であるログ情報に基づいておすすめ番組を選定するため、ユーザにとって関心の高い放送番組を視聴する機会を増やすことが可能となる。
【０１６２】
［３Ｐ］テレビ１は、ユーザの所持する携帯装置４からログ情報を取得するため、ユーザのライフログの多くを取得することができる。その結果、ユーザの関心の高い放送番組を種々の観点から選定することが可能となる。
【０１６３】
［３Ｑ］テレビ１は、再生中の放送番組を視聴するユーザの視線に基づいて、再生中の映像において注目されている対象を特定し、特定した対象に関連する放送番組をおすすめ番組として選定する。したがって、単に放送番組の単位でユーザの嗜好を判断する場合と比較して、より正確にユーザの嗜好を判断することができる。
【０１６４】
［３Ｒ］テレビ１は、視点可変放送データに含まれる複数の視点から見た映像のうち、ユーザにより指定された映像を表示画面に表示する。したがって、１つの視点の映像しか表示されない構成と比較して、ユーザに応じた情報を提供することが可能となる。
【０１６５】
なお、上記実施形態では、録画番組を再生する録画再生処理において、表示態様変更操作がユーザにより行われた場合に、テレビ１の表示画面に表示される映像の表示態様を変更する処理を例示したが、これに限定されるものではない。例えば、放送局から放送されている放送データの表す放送番組を再生する放送再生処理において、表示態様変更操作がユーザにより行われた場合に、テレビ１の表示画面に表示される映像の表示態様を変更するようにしてもよい。
【０１６６】
［３Ｓ］テレビ１は、範囲可変放送データの表す映像のうちの一部であってユーザにより指定された部分を表示画面に表示する。したがって、表示される部分が固定された構成と比較して、ユーザに応じた情報を提供することが可能となる。
【０１６７】
［３Ｔ］テレビ１は、ＣＭ可変放送データに含まれる複数のＣＭのうちの一部のＣＭを再生するため、再生されるＣＭがあらかじめ決められている構成と比較して、より効果的な宣伝を行うことが可能となる。
【０１６８】
なお、上記実施形態では、録画番組を再生する録画再生処理において、ＣＭ可変放送データに含まれる複数のＣＭのうちの一部のＣＭを再生する処理を例示したが、これに限定されるものではない。例えば、放送局から放送されている放送データの表す放送番組を再生する放送再生処理において、ＣＭ可変放送データに含まれる複数のＣＭのうちの一部のＣＭを再生するようにしてもよい。
【０１６９】
［３Ｕ］テレビ１は、ＣＭ可変放送データに含まれる複数のＣＭのうち、ユーザにより選択されたＣＭを再生するため、ユーザにとってより関心の高いＣＭが再生されるようにすることができる。
【０１７０】
［３Ｖ］テレビ１は、ＣＭ可変放送データに含まれる複数のＣＭのうち、ユーザが過去に視聴していないことが優先されるように選択されたＣＭを再生するため、より宣伝効果の高いＣＭが再生されるようにすることができる。
【０１７１】
［４．他の実施形態］
以上、本発明の実施形態について説明したが、本発明は、上記実施形態に限定されることなく、種々の形態を採り得ることは言うまでもない。
【０１７２】
［４−１．評価内容情報］
［４−１Ａ］評価内容情報は、上記実施形態で例示したものに限定されない。例えば、定形評価として、イラスト（スタンプ）や定形句（いわゆるツッコミ等）などが用いられてもよい。このようにすれば、簡易的な操作で多様な評価を行うことができる。
【０１７３】
［４−１Ｂ］リモコン３や携帯装置４などのボタン操作、ジェスチャー、発声などにより評価が入力された時点でユーザを撮影し、撮影画像を評価内容情報又は評価者情報として利用してもよい。このようにすれば、評価対象の場面を視聴している状態又はそれに近い状態のユーザの撮影画像を利用することができる。
【０１７４】
［４−２．評価対象情報］
［４−２Ａ］評価対象情報に含まれる放送日時の情報は、評価の入力に要するタイムラグを加味して、評価が入力されたタイミングよりも前のタイミング（例えば所定時間ずらしたタイミング）を基準として特定されるようにしてもよい。このようにすれば、評価対象情報に含まれる放送日時を実際の日時に近づけることが可能となる。具体的には、例えば定形評価よりも自由評価の方がタイムラグが大きくなるといったように、タイムラグの長さが異なることが想定されるため、こうしたタイムラグの想定長さに応じて、基準となるタイミングをずらす度合いを変更してもよい。このようにすれば、評価対象情報に含まれる放送日時をより適切なものとすることができる。なお、ユーザによる操作によって評価が入力される場合、操作の開始時点を放送日時として特定すれば、タイムラグを少なくすることができる。
【０１７５】
［４−２Ｂ］テレビ１は、ユーザによる評価を入力する際、又は、評価の入力後に、再生中の放送番組における評価の入力前後の映像を例えばサムネイル画像で表示画面に表示し、評価した場面をユーザに特定させるようにしてもよい。このようにすれば、評価対象の場面をユーザ自身により正確に特定させることができる。
【０１７６】
［４−２Ｃ］評価した場面だけでなく、評価した場所（表示画面における位置、人物など）をユーザが特定できるようにしてもよい。このようにすれば、評価した場所を視認できる形で評価を表示するといったことが可能となり、他の視聴者による評価を閲覧するユーザが、その視聴者による評価対象をより詳細に把握することができる。
【０１７７】
［４−３．評価者情報］
［４−３Ａ］テレビ１を視聴するユーザの年齢を撮影画像から推測してもよい。このようにすれば、ユーザが年齢を入力するための操作を省略することができる。また、推測などにより特定したユーザの年齢に基づいて、放送番組の視聴制限を行ってもよい。また、他のシステム（例えばたばこの販売システム）で利用されている年齢証明用のＩＤカードなどを流用してユーザの年齢を判定してもよい。また、リモコン３に年齢申告用のボタンを設けてもよい。なお、このような技術（年齢の推測や特定、年齢に基づく制限など）は、ウェブサイトの閲覧にも適用可能である。また、評価者はテレビ１を視聴するユーザに限定されるものではなく、例えば、最高視聴率の場面に評価（例えば前述した付箋のアイコン）が付されるようにするなど、テレビ局による評価が含まれていてもよい。
【０１７８】
［４−４．評価の出力態様］
［４−４Ａ］放送番組単位や具体的な場面単位など、一定条件で抽出した評価を統計する処理をサーバ２又はテレビ１で実行し、統計結果を表示してもよい。例えば、定形評価の項目（例えば喜怒哀楽などの感情評価の項目）やユーザのカテゴリ（例えば性別や年齢層）ごとに評価数を集計し、その結果をそのまま表示してもよい。また、評価数が多い項目だけを代表的な評価として表示してもよい（換言すれば、評価数が少ない項目は少数意見として表示しないようにしてもよい）。また、複数の評価項目を総括した評価（例えば点数やランク付け）を行ってもよい。この場合、ユーザが、複数の評価項目について、総括評価に寄与する度合い（重み付け）を変更できるようにしてもよい。また、他のユーザのうち、共通する評価対象についての評価が類似する傾向にあるユーザを感性の合うユーザとして特定し、感性の合うユーザによる評価を優先して表示したり、重み付けを大きくしたりしてもよい。
【０１７９】
［４−４Ｂ］録画された放送番組の表示色は、放送番組に対する評価数や評価内容などに応じて複数色に色分けしてもよい（例えば金色、銀色など。）。また、色分け以外の態様（例えば文字の太さ、フォント、網掛け、点滅等のアニメーション）で放送番組を分類してもよい。また、上記実施形態では、評価の内容をポップアップ画面で表示するようにしているが、番組表にあらかじめ表示してもよい。また、録画された放送番組は、番組表形式以外で一覧表示してもよい。
【０１８０】
［４−４Ｃ］上記実施形態では、ネタバレ情報が含まれるコメントを表示しないようにすることで、ネタバレ情報の閲覧を抑制しているが、これに限定されるものではなく、例えば、放送番組ごとに、ネタバレ情報の有無を視認可能な表示態様で表示してもよい。また、ネタバレ情報が生じやすいジャンルの番組（例えばドラマ、映画、試合等）については、コメント自体を表示させないようにしてもよい。また、ネタバレ情報が生じやすい番組Ａよりも後に放送される番組Ｂであって、番組Ａのネタバレ情報を放送し得る番組Ｂ（例えばスポーツ中継後のニュース番組）については、ネタバレ情報を含み得ることを視覚的に区別できる態様で表示してもよい。また、このような番組は一覧表示において表示させないように（つまり、再生対象として選択できないように）してもよい。
【０１８１】
［４−４Ｄ］ネタバレ情報以外にも、例えば年齢制限すべき情報などについては、ネタバレ情報と同様に閲覧制限を行ってもよい。また、この閲覧制限は、視聴者による評価を対象とすることに限らず、放送番組自体に対して行ってもよい。例えば、録画された放送番組の内容を解析し、子供に見せたり聞かせたりすることが適切でない内容が含まれている場合には、部分的に修正したり、放送番組を選択する画面において視覚的に区別できる態様で表示したり、視聴制限を加えたりしてもよい。
【０１８２】
［４−４Ｅ］録画された放送番組だけでなく、生放送中の放送番組にリアルタイムで評価が表示されるようにしてもよい。この場合、評価の入力に要するタイムラグを考慮して、評価対象の場面に対する評価のずれ（遅れ）を調整可能とするため、放送時間をずらしてもよい。例えば、放送番組の評価を行わないユーザは、放送番組の評価を行うユーザと比較して、一定時間（例えば数秒）遅れて番組が放送されるようにしてもよい。具体的には、設定項目「評価送信」に関する動作モードを評価送信禁止モードに設定しているユーザを、ここでいう放送番組の評価を行わないユーザとしてもよい。逆に、設定項目「評価送信」に関する動作モードを評価送信許可モードに設定しているユーザを、ここでいう放送番組の評価を行うユーザとしてもよい。
【０１８３】
［４−４Ｆ］評価の出力態様は、表示画面に表示されるという出力態様に限らず、例えば音声により出力されるという出力態様としてもよい。例えば、評価としてのコメントが表す文字を読み上げる形で音声再生されるようにしてもよく、また、視聴者が実際に発声した音声が、そのまま（又は音声変換処理を経て）再生されるようにしてもよい。
【０１８４】
［４−４Ｇ］
コメント等の評価は、放送番組を基準とした時刻（本来の放送時刻）又は実際の時刻を基準に、時系列で表示されるようにしてもよい。その場合、ある放送番組の再生中に、別の放送番組に関する評価が表示され、表示された評価を選択することで、視聴中の放送番組の再生が一時停止され、選択した評価の対象となった放送番組が再生されるようにしてもよい。例えば、再生中の放送番組とともに、当該放送番組と放送日時が同一の複数の放送番組について、友人など限られたユーザによる評価が表示され、気になった評価を選択することで、再生される放送番組が切り替わるようにしてもよい。
【０１８５】
［４−５．評価の対象］
放送番組に含まれるＣＭ（コマーシャル）を評価の対象としてもよい。この場合、テレビ１を視聴しているユーザの情報のうち、ＣＭで紹介されている内容に関連する情報を、ＣＭの評価として自動的に入力してもよい。このような自動入力は、テレビ１単体で行ってもよく、また、携帯装置４との連携により行ってもよい。
【０１８６】
例えば、ユーザによるオンラインショッピング等の購入履歴の中に、ＣＭで紹介されている商品が含まれている場合に、ユーザが購入した旨の情報が評価として自動的に入力されるようにしてもよい。このようにすれば、例えばＣＭで紹介されている商品をあるユーザが購入済であることを、他のユーザ（知り合い等）に把握させることができる。その結果、ＣＭで紹介されている商品の購入を促進させることができる。
【０１８７】
また例えば、携帯装置４による位置情報のログ（ユーザの移動軌跡）の中に、ＣＭで紹介されている場所（施設等）が含まれている場合に、ユーザがその場所を利用した（又はその場所の近くに立ち寄った）旨の情報が、評価として自動的に入力されるようにしてもよい。このようにすれば、例えばＣＭで紹介されている施設（例えば宿泊施設）をあるユーザが訪問済であることを、他のユーザに把握させることができる。その結果、ＣＭで紹介されている施設の利用を促進させることができる。
【０１８８】
［４−６．構成に関する変形例］
［４−６Ａ］携帯装置４は、携帯電話機に限らず、例えば、タブレット型端末やＰＣなどでもよい。また、携帯装置４をリモコン３として機能させ、放送番組の再生操作や評価の入力操作などを携帯装置４で行うことができるようにしてもよい。また、テレビ１を視聴しているユーザの身体の動き（例えば腕や脚などを大きく動かしたこと）を検出するセンサ（いわゆるモーションセンサ）を設け、当該センサを携帯装置４として機能させるようにしてもよい。
【０１８９】
［４−６Ｂ］テレビ１とサーバ２、テレビ１とリモコン３、テレビ１と携帯装置４など、装置間の通信方式は特に限定されない。
［４−６Ｃ］上記実施形態で例示した装置のうち、Ｍ個の装置をＮ個（Ｎ＜Ｍ）の装置に集約してもよく、逆に、Ｎ個の装置をＭ個に分けてもよい。例えば、テレビ１は、録画機能を有しない装置（通常のテレビ）と、録画機能を有する装置（レコーダ）と、が別々の装置として構成されていてもよい。また、ある装置において実行される処理のうち、他の装置においても実行可能な処理の少なくとも一部を、当該他の装置において実行されるようにしてもよい。つまり、各装置の処理分担は変更してもよい。例えば、上記実施形態でテレビ１が実行する処理の一部（例えばコメントの解析処理）を、サーバ２で実行してもよい。また、上記実施形態の構成の少なくとも一部を、同様の機能を有する公知の構成に置き換えてもよい。
【０１９０】
［４−７．その他の構成例］
［４−７Ａ］テレビ１のスピーカから出力される音に対して逆位相の音を出力することで、テレビ１から出力される音を聞き取りやすい領域と聞き取りにくい領域とを形成してもよい。このようにすれば、テレビ１を視聴していないユーザには音が聞こえにくくしつつ、テレビ１を視聴しているユーザには音を聞こえやすくすることができる。
【０１９１】
［４−７Ｂ］ユーザの所有する自動車に関する情報がテレビ１の表示画面に表示されるようにしてもよい。自動車に関する情報としては、例えば、運転席から視認されるメータの情報、車載カメラ（例えば車両の進行方向を撮影するカメラ）による撮影画像、車載表示装置の表示画面に表示されている画像などが挙げられる。また、車載カメラによる撮影画像に基づいて、自宅から自動車を遠隔操作できるようにしてもよい。逆に、自宅に関する情報が車載表示装置の表示画面に表示されるようにしてもよい。また、自宅から送られたメッセージが車載表示装置の表示画面に表示されるようにしてもよい。また、自動車に限らず、例えばユーザの子供が携帯装置４を所持し、携帯装置４のカメラによる撮影画像（子供のいる場所の情報）がテレビ１の表示画面に表示されるようにしてもよい。
【０１９２】
［４−７Ｃ］放送番組を視聴すべき時期や、視聴すべき放送番組などを、ユーザのスケジュールに基づいて提案するようにしてもよい。例えば、ユーザのスケジュールが携帯装置４に記録されており、人と会う予定がある場合に、その人と会話するために有用な放送番組であって、予定の前までに視聴可能な放送番組が、テレビ１や携帯装置４などからユーザに提案されるようにしてもよい。
【０１９３】
［４−７Ｄ］テレビ１を自動車で視聴する場合に、ナビゲーション機能で設定された案内ルートに基づいて、放送番組を視聴すべき時期や場所（駐車位置）などをユーザに提案するようにしてもよい。
【０１９４】
［４−７Ｅ］放送番組の改善箇所をユーザが提案できるようにしてもよい。例えば、俳優が着用している衣服の改善点を入力して送信できるようにしてもよい。また例えば、料理のレシピや調理方法の改善点を入力して送信できるようにしてもよい。放送データの映像に画像処理を施すことにより改善点を反映させることができる場合には、改善点が反映されるように画像処理を施すことができるようにしてもよい。その場合、画像処理後の映像を他のユーがが閲覧・評価等できるようにしてもよい。
【０１９５】
［４−７Ｆ］他の特定のユーザが所有するテレビ１を遠隔操作して、指定の番組を閲覧させるようにしてもよい。遠隔操作は、他のユーザに操作を促すためのコメント等を当該他のユーザのテレビ１で表示させる操作であってもよく、強制的に放送番組を切り替える操作であってもよい。
【０１９６】
［４−７Ｇ］放送番組の再生中に特定の条件を満たす場面が検出された場合には、ユーザの所持する携帯装置４で報知（アラート）されるようにしてもよい。このようにすれば、ユーザが視聴したい場面を見逃しにくくすることができる。ここでいう特定の条件を満たす場面としては種々考えられるが、例えば、ニュース番組における一般ニュースからスポーツニュースへの切り替わりの場面が特定の条件を満たす場面として設定されていれば、興味のない一般ニュースの間はユーザが携帯装置４を操作しているような場合に、スポーツニュースが始まったことを知らせることができる。
【０１９７】
［４−７Ｈ］録画番組の再生中には、地震速報や時報などのライブ情報が映像から除かれるようにしてもよい。
［４−７Ｉ］自宅のテレビ１と自動車に搭載されたテレビ１とで、録画予約等の処理が共通して行われるようにしてもよい。
【０１９８】
［４−７Ｊ］道路を走行する撮影車両等によって撮影された３６０度の視野を持つ地図補助用の撮影画像（いわゆるストリートビュー）により、ナビゲーション機能で設定された案内ルートを表示するようにしてもよい。
【０１９９】
［５．実施形態から把握される技術思想］
以上詳述した種々の実施形態から、少なくとも以下の技術思想が把握される。
［５−１］放送番組を録画する放送録画処理を行う放送録画処理部と、
前記放送録画処理部により録画された放送番組に関する情報と、当該放送番組に関する視聴者による評価と、を関連付けて表示する録画表示処理を行う録画再生処理部と、
を備え、
前記録画再生処理部は、放送番組に関する視聴者による評価を表す評価データを外部のサーバから取得し、前記放送録画処理部により録画された放送番組に関する情報と、当該放送番組に関する前記評価データの表す評価と、を関連付けて表示する処理を、前記録画表示処理として行う
ことを特徴とする番組再生装置。
【０２００】
このような構成によれば、ユーザ（視聴者）は、録画された放送番組の中から、視聴すべき放送番組を、他の視聴者による評価に基づいて選択することができる。
［５−２］前記［５−１］に記載の番組再生装置であって、
前記録画再生処理部は、前記録画表示処理において、前記放送録画処理部により録画された複数の放送番組に関する情報を、放送番組ごとに、評価の有無を視認可能な表示態様で一覧表示する処理を行う
ことを特徴とする番組再生装置。
【０２０１】
このような構成によれば、ユーザは、複数の放送番組のそれぞれについて、視聴者により評価がされているか否かを容易に識別することができる。
［５−３］前記［５−１］又は［５−２］に記載の番組再生装置であって、
放送番組を再生する再生処理を行う再生処理部と、
前記再生処理部により再生されている放送番組に関する評価であって、当該番組再生装置のユーザによる評価を入力し、入力した評価を前記サーバへ送信する評価入力処理を行う評価入力処理部と、
を更に備えることを特徴とする番組再生装置。
【０２０２】
このような構成によれば、ユーザは、他の視聴者による評価を閲覧するだけでなく、自身による評価を他の視聴者に閲覧させることができる。
［５−４］前記［５−３］に記載の番組再生装置であって、
前記評価入力処理部は、放送番組を視聴するユーザによる、あらかじめ設定されたジェスチャーを、当該ジェスチャーに対応する評価の入力として検出する
ことを特徴とする番組再生装置。
【０２０３】
このような構成によれば、ユーザは、放送番組の視聴を損ないにくい形で、かつ、短時間で評価を入力することができる。
［５−５］前記［５−３］又は［５−４］に記載の番組再生装置であって、
前記評価入力処理部は、放送番組を視聴するユーザによる、あらかじめ設定されたキーワードの発声を、当該キーワードに対応する評価の入力として検出する
ことを特徴とする番組再生装置。
【０２０４】
このような構成によれば、ユーザは、放送番組の視聴を損ないにくい形で、かつ、短時間で評価を入力することができる。
［５−６］前記［５−３］から［５−５］までのいずれか１つに記載の番組再生装置であって、
前記評価入力処理部は、放送番組を視聴するユーザの表情を、当該表情に対応する評価の入力として検出する
ことを特徴とする番組再生装置。
【０２０５】
このような構成によれば、ユーザは、特別に意識することなく、放送番組に対する評価を入力することができる。
［５−７］前記［５−３］から［５−６］までのいずれか１つに記載の番組再生装置であって、
前記評価入力処理部は、放送番組を視聴するユーザの笑い声を、評価の入力として検出する
ことを特徴とする番組再生装置。
【０２０６】
このような構成によれば、ユーザは、特別に意識することなく、放送番組に対する評価を入力することができる。
［５−８］前記［５−３］から［５−７］までのいずれか１つに記載の番組再生装置であって、
前記評価入力処理部は、評価を行ったユーザに関する評価者情報を特定する
ことを特徴とする番組再生装置。
【０２０７】
このような構成によれば、１つの番組再生装置を複数のユーザが共有する環境においても、評価を行ったユーザを評価者情報により区別することができる。
［５−９］前記［５−８］に記載の番組再生装置であって、
前記評価入力処理部は、評価の入力に用いられた携帯装置に基づいて、前記評価者情報を特定する
ことを特徴とする番組再生装置。
【０２０８】
このような構成によれば、ユーザは、携帯装置を用いることで評価者情報の入力操作を省略することが可能となる。
［５−１０］前記［５−８］又は［５−９］に記載の番組再生装置であって、
前記評価入力処理部は、ユーザの顔認識を行うことにより、前記評価者情報を特定する
ことを特徴とする番組再生装置。
【０２０９】
このような構成によれば、ユーザは、評価者情報の入力操作を省略することが可能となる。
［５−１１］前記［５−８］から［５−１０］までのいずれか１つに記載の番組再生装置であって、
前記評価入力処理部は、ユーザの音声認識を行うことにより、前記評価者情報を特定する
ことを特徴とする番組再生装置。
【０２１０】
このような構成によれば、ユーザは、評価者情報の入力操作を省略することが可能となる。
［５−１２］前記［５−１］から［５−１１］までのいずれか１つに記載の番組再生装置であって、
前記評価データの表す評価は、放送番組における１つの時点に紐付けされている
ことを特徴とする番組再生装置。
【０２１１】
このような構成によれば、ユーザは、他の視聴者による評価が、放送番組におけるどの時点（場面）に対するものであるかを、具体的に特定することができる。
［５−１３］前記［５−１２］に記載の番組再生装置であって、
前記録画再生処理部は、前記録画表示処理を行うことにより表示した評価を指定して第１の操作が行われた場合に、放送番組における、当該評価に紐付けされている時点を含む一部分を再生する
ことを特徴とする番組再生装置。
【０２１２】
このような構成によれば、ユーザは、他の視聴者により評価された内容を簡易的に視聴した上で、視聴すべき放送番組を選択することができる。
［５−１４］前記［５−１］から［５−１３］までのいずれか１つに記載の番組再生装置であって、
前記録画再生処理部は、前記録画表示処理において、前記放送録画処理部により録画された放送番組に関する前記評価データの表す評価であって、ユーザが登録した登録者による評価を表示する
ことを特徴とする番組再生装置。
【０２１３】
このような構成によれば、ユーザは、不特定多数のユーザによる評価の中から、興味のあるユーザの評価のみを利用することができる。
［５−１５］前記［５−１］から［５−１４］までのいずれか１つに記載の番組再生装置であって、
前記録画再生処理部は、前記録画表示処理において、前記放送録画処理部により録画された放送番組に関する前記評価データの表す評価であっても、ユーザが閲覧を希望しない内容の評価については表示しない
ことを特徴とする番組再生装置。
【０２１４】
このような構成によれば、ユーザは、例えばネタバレ情報を閲覧しにくい形で、他の視聴者による評価を閲覧することができる。
［５−１６］放送番組を再生する再生処理を行う再生処理部を備え、
前記再生処理部は、再生中の映像においてあらかじめ設定されている対象候補を選択する対象選択操作がユーザにより行われた場合に、選択された前記対象候補に関する情報を表示する処理を行う
ことを特徴とする番組再生装置。
【０２１５】
このような構成によれば、ユーザは、再生中の映像において対象候補を選択するだけで、選択した対象候補に関する情報を閲覧することができる。
［５−１７］前記［５−１６］に記載の番組再生装置であって、
前記再生処理部は、前記対象選択操作がユーザにより行われた場合に、放送番組の再生を停止した後、選択された前記対象候補に関する情報を表示する処理を行う
ことを特徴とする番組再生装置。
【０２１６】
このような構成によれば、対象選択操作が行われても放送番組の再生が停止されない構成と比較して、放送番組の続きが気になりにくい形で対象候補に関する情報を表示することができる。
【０２１７】
［５−１８］前記［５−１６］又は［５−１７］に記載の番組再生装置であって、
前記再生処理部は、前記対象選択操作がユーザにより行われた場合に、選択された前記対象候補及びユーザを表す情報を外部のサーバへ通知する処理を行う
ことを特徴とする番組再生装置。
【０２１８】
このような構成によれば、ユーザに選択された対象候補についての種々のサービスを実現することが可能となる。
［５−１９］放送番組を録画する放送録画処理部と、
前記放送録画処理部により録画された放送番組の中から、ユーザに応じた放送番組である選定放送番組を選定する処理を行う選定処理部と、
前記放送録画処理部により録画された放送番組のうち、前記選定放送番組に関する情報を、前記選定放送番組以外の放送番組に関する情報とは異なる態様で表示する処理を行う録画再生処理部と、
を備えることを特徴とする番組再生装置。
【０２１９】
このような構成によれば、録画された放送番組の中から、ユーザに応じた放送番組（選定放送番組）を選択しやすくすることができる。
［５−２０］放送予定の放送番組の中から、ユーザに応じた放送番組である選定放送番組を選定する処理を行う選定処理部と、
前記選定放送番組を録画する処理を行う放送録画処理部と、
を備えることを特徴とする番組再生装置。
【０２２０】
このような構成によれば、ユーザに応じた放送番組（選定放送番組）が自動的に録画されるようにすることができる。
［５−２１］前記［５−１９］又は［５−２０］に記載の番組再生装置であって、
前記選定処理部は、再生された放送番組に関連する他の放送番組を前記選定放送番組として選定する処理を行う
ことを特徴とする番組再生装置。
【０２２１】
このような構成によれば、ユーザが視聴した放送番組に関連する他の放送番組を見逃してしまうことを生じにくくすることができる。
［５−２２］前記［５−１９］から［５−２１］までのいずれか１つに記載の番組再生装置であって、
前記選定処理部は、ユーザのライフログの情報であるログ情報に基づいて前記選定放送番組を選定する処理を行う
ことを特徴とする番組再生装置。
【０２２２】
このような構成によれば、ユーザにとって関心の高い放送番組を視聴する機会を増やすことが可能となる。
［５−２３］前記［５−２２］に記載の番組再生装置であって、
前記選定処理部は、ユーザの所持する携帯装置から前記ログ情報を取得する処理を行う
ことを特徴とする番組再生装置。
【０２２３】
このような構成によれば、ユーザのライフログの多くを取得することができる。その結果、ユーザの関心の高い放送番組を種々の観点から選定することが可能となる。
［５−２４］前記［５−１９］から［５−２３］までのいずれか１つに記載の番組再生装置であって、
前記選定処理部は、再生中の放送番組を視聴するユーザの視線に基づいて、再生中の映像において注目されている対象を特定し、特定した対象に関連する放送番組を前記選定放送番組として選定する処理を行う
ことを特徴とする番組再生装置。
【０２２４】
このような構成によれば、単に放送番組の単位でユーザの嗜好を判断する場合と比較して、より正確にユーザの嗜好を判断することができる。
［５−２５］放送番組のデータが表す放送番組を再生する再生処理部を備え、
前記放送番組のデータは、同一対象を複数の視点から見た映像を含み、
前記再生処理部は、前記放送番組のデータに含まれる複数の視点から見た映像のうち、ユーザにより指定された映像を前記表示画面に表示する処理を行う
ことを特徴とする番組再生装置。
【０２２５】
このような構成によれば、１つの視点の映像しか表示されない構成と比較して、ユーザに応じた情報を提供することが可能となる。
［５−２６］放送番組のデータが表す放送番組を再生する再生処理部を備え、
前記放送番組のデータは、再生中に表示画面に表示される範囲よりもサイズの大きい映像を表し、
前記再生処理部は、前記放送番組のデータの表す映像のうちの一部であってユーザにより指定された部分を前記表示画面に表示する処理を行う
ことを特徴とする番組再生装置。
【０２２６】
このような構成によれば、表示される部分が固定された構成と比較して、ユーザに応じた情報を提供することが可能となる。
［５−２７］放送番組のデータである放送データが表す放送番組を再生する再生処理部を備え、
前記放送データは、再生されるべきコマーシャルの数よりも多いコマーシャルを含み、
前記再生処理部は、前記放送番組のデータに含まれる複数のコマーシャルのうちの一部のコマーシャルを再生する処理を行う
ことを特徴とする番組再生装置。
【０２２７】
このような構成によれば、再生されるコマーシャルがあらかじめ決められている構成と比較して、より効果的な宣伝を行うことが可能となる。
［５−２８］前記［５−２７］に記載の番組再生装置であって、
前記再生処理部は、前記放送番組のデータに含まれる複数のコマーシャルのうち、ユーザにより選択されたコマーシャルを再生する処理を行う
ことを特徴とする番組再生装置。
【０２２８】
このような構成によれば、ユーザにとってより関心の高いコマーシャルが再生されるようにすることができる。
［５−２９］前記［５−２７］又は［５−２８］に記載の番組再生装置であって、
前記再生処理部は、前記放送番組のデータに含まれる複数のコマーシャルのうち、ユーザが過去に視聴していないことが優先されるように選択されたコマーシャルを再生する処理を行う
ことを特徴とする番組再生装置。
【０２２９】
このような構成によれば、より宣伝効果の高いコマーシャルが再生されるようにすることができる。
【図１】
2014148229.tif 000003
【図２】
2014148229.tif 000004
【図３】
2014148229.tif 000005
【図４】
2014148229.tif 000006
【図５】
2014148229.tif 000007
【図６】
2014148229.tif 000008
【図７】
2014148229.tif 000009
【図８】
2014148229.tif 000010
【図９】
2014148229.tif 000011
【図１０】
2014148229.tif 000012
【図１１】
2014148229.tif 000013
【図１２】
2014148229.tif 000014
【図１３】
2014148229.tif 000015
【図１４】
2014148229.tif 000016
【図１５】
2014148229.tif 000017
【図１６】
2014148229.tif 000018
【図１７】
2014148229.tif 000019
【図１８】
2014148229.tif 000020
【図１９】
2014148229.tif 000021
【図２０】
2014148229.tif 000022
【国際調査報告】
2014148229.tif 000023
2014148229.tif 000024
2014148229.tif 000025
2014148229.tif 000026